(57)【要約】【課題】タッチパネルの駆動方法、タッチパネル、及びディスプレイ装置を提供する。【解決手段】複数の駆動ライン及び複数の感知ラインを含むタッチパネルの駆動方法において、複数の駆動ラインのうち一部の駆動ラインを活性化し、複数の感知ラインのうち一部の感知ラインを活性化して使用者からのタッチの概略的位置を検出するレアスキャンが遂行される。複数の駆動ラインのうちのタッチの概略的位置周辺の駆動ラインを活性化し、複数の感知ラインのうちのタッチの概略的位置周辺の感知ラインを活性化してタッチの精密な位置を検出するローカルスキャンが遂行される。【選択図】図１
2013168121.tif 000002
【特許請求の範囲】
【請求項１】
複数の駆動ライン及び複数の感知ラインを含むタッチパネルの駆動方法であって、
前記複数の駆動ラインのうち一部の駆動ラインを活性化し、前記複数の感知ラインのうち一部の感知ラインを活性化して使用者からのタッチの概略的位置を検出するレアスキャンを遂行する段階と、
前記複数の駆動ラインのうちの前記タッチの前記概略的位置周辺の駆動ラインを活性化し、前記複数の感知ラインのうちの前記タッチの前記概略的位置周辺の感知ラインを活性化して前記タッチの精密な位置を検出するローカルスキャンを遂行する段階と、を含むことを特徴とするタッチパネルの駆動方法。
【請求項２】
前記レアスキャンを遂行する段階は、
前記複数の駆動ラインのうちのＮ個（Ｎは、２以上の自然数）の駆動ラインごとにＭ個（Ｍは、１以上Ｎ−１以下の自然数）の駆動ラインを活性化する段階と、
前記複数の感知ラインのうちのＬ個（Ｌは、２以上の自然数）の感知ラインごとにＫ個（Ｋは１以上Ｌ−１以下の自然数）の感知ラインを活性化する段階と、を含むことを特徴とする請求項１に記載のタッチパネルの駆動方法。
【請求項３】
前記レアスキャンを遂行する段階は、
前記複数の駆動ラインのうちの奇数番目駆動ラインを活性化する段階と、
前記複数の感知ラインのうちの奇数番目感知ラインを活性化する段階と、を含むことを特徴とする請求項１に記載のタッチパネルの駆動方法。
【請求項４】
前記レアスキャンを遂行する段階は、
前記複数の駆動ラインのうちの偶数番目駆動ラインを活性化する段階と、
前記複数の感知ラインのうちの偶数番目感知ラインを活性化する段階と、を含むことを特徴とする請求項１に記載のタッチパネルの駆動方法。
【請求項５】
前記レアスキャンを遂行する段階は、
奇数番目タッチフレームで前記複数の駆動ラインのうちの奇数番目駆動ラインを活性化する段階と、
前記奇数番目タッチフレームで前記複数の感知ラインのうちの奇数番目感知ラインを活性化する段階と、
偶数番目タッチフレームで前記複数の駆動ラインのうちの偶数番目駆動ラインを活性化する段階と、
前記偶数番目タッチフレームで前記複数の感知ラインのうちの偶数番目感知ラインを活性化する段階と、を含むことを特徴とする請求項１に記載のタッチパネルの駆動方法。
【請求項６】
前記ローカルスキャンを遂行する段階は、
前記複数の駆動ラインのうちの前記タッチの前記概略的位置に相応する第１駆動ライン及び前記第１駆動ラインに隣接した少なくとも１つの第２駆動ラインを活性化する段階と、
前記複数の感知ラインのうちの前記タッチの前記概略的位置に相応する第１感知ライン及び前記第１感知ラインに隣接した少なくとも１つの第２感知ラインを活性化する段階と、を含むことを特徴とする請求項１に記載のタッチパネルの駆動方法。
【請求項７】
前記複数の駆動ラインのうちの前記タッチの前記精密な位置周辺の駆動ラインを活性化して、前記複数の感知ラインのうちの前記タッチの前記精密な位置周辺の感知ラインを活性化して前記タッチの変更された精密な位置を検出する後続ローカルスキャンを遂行する段階をさらに含むことを特徴とする請求項１に記載のタッチパネルの駆動方法。
【請求項８】
前記ローカルスキャン及び前記後続ローカルスキャンを通じて前記使用者のドラッグ動作が感知されることを特徴とする請求項７に記載のタッチパネルの駆動方法。
【請求項９】
前記レアスキャン及び前記ローカルスキャンを通じて第１地点に位置した第１タッチが感知され、後続レアスキャン及び後続ローカルスキャンを通じて前記第１地点から離隔された第２地点に位置した第２タッチが感知されることを特徴とする請求項１に記載のタッチパネルの駆動方法。
【請求項１０】
複数の駆動ライン及び複数の感知ラインを含むタッチパネルの駆動方法にであって、
前記複数の駆動ラインのうち一部の駆動ラインを活性化し、前記複数の感知ラインのうち一部の感知ラインを活性化して使用者からの第１タッチの概略的位置を検出するレアスキャンを遂行する段階と、
前記複数の駆動ラインのうちの前記一部の駆動ライン及び前記第１タッチの前記概略的位置周辺の駆動ラインを活性化し、前記複数の感知ラインのうちの前記一部の感知ライン及び前記第１タッチの前記概略的位置周辺の感知ラインを活性化して第２タッチの概略的位置及び前記第１タッチの精密な位置を検出するレア及びローカルスキャンを遂行する段階と、を含むことを特徴とするタッチパネルの駆動方法。
【請求項１１】
前記レアスキャンを遂行する段階は、
前記複数の駆動ラインのうちのＮ個（Ｎは２以上の自然数）の駆動ラインごとにＭ個（Ｍは１以上Ｎ−１以下の自然数）の駆動ラインを活性化する段階と、
前記複数の感知ラインのうちのＬ個（Ｌは、２以上の自然数）の感知ラインごとにＫ個（Ｋは１以上Ｌ−１以下の自然数）の感知ラインを活性化する段階と、を含むことを特徴とする請求項１０に記載のタッチパネルの駆動方法。
【請求項１２】
前記レア及びローカルスキャンを遂行する段階は、
前記複数の駆動ラインのうちの前記一部の駆動ライン、前記第１タッチの前記概略的位置に相応する第１駆動ライン及び前記第１駆動ラインに隣接した少なくとも１つの第２駆動ラインを活性化する段階と、
前記複数の感知ラインのうちの前記一部の感知ライン、前記タッチの前記概略的位置に相応する第１感知ライン及び前記第１感知ラインに隣接した少なくとも１つの第２感知ラインを活性化する段階と、を含むことを特徴とする請求項１０に記載のタッチパネルの駆動方法。
【請求項１３】
前記複数の駆動ラインのうちの前記一部の駆動ライン、前記第１タッチの前記精密な位置周辺の駆動ライン、及び前記第２タッチの前記概略的位置周辺の駆動ラインを活性化し、前記複数の感知ラインのうちの前記一部の感知ライン、前記第１タッチの前記精密な位置周辺の感知ライン、及び前記第２タッチの前記概略的位置周辺の感知ラインを活性化して前記第１タッチの前記精密な位置及び前記第２タッチの精密な位置を検出する後続レア及びローカルスキャンを遂行する段階と、を含む請求項１０に記載のタッチパネルの駆動方法。
【請求項１４】
前記後続レア及びローカルスキャンを通じて前記第１タッチ及び前記第２タッチを含むマルチ−タッチが感知されることを特徴とする請求項１３に記載のタッチパネルの駆動方法。
【請求項１５】
第１方向に延伸した複数の駆動ラインと、
前記第１方向に直交する第２方向に延伸した複数の感知ラインと、を含み、
前記複数の駆動ラインのうち一部の駆動ラインを活性化し、前記複数の感知ラインのうち一部の感知ラインを活性化して使用者からのタッチの概略的位置を検出するレアスキャンを遂行し、
前記複数の駆動ラインのうちの前記タッチの前記概略的位置周辺の駆動ラインを活性化し、前記複数の感知ラインのうちの前記タッチの前記概略的位置周辺の感知ラインを活性化して前記タッチの精密な位置を検出するローカルスキャンをさらに遂行することを特徴とするタッチパネル。
【請求項１６】
第１方向に延伸した複数の駆動ラインと、
前記第１方向に直交する第２方向に延伸した複数の感知ラインを含み、
前記複数の駆動ラインのうち一部の駆動ラインを活性化し、前記複数の感知ラインのうち一部の感知ラインを活性化して使用者からの第１タッチの概略的位置を検出するレアスキャンを遂行し、
前記複数の駆動ラインのうちの前記一部の駆動ライン及び前記第１タッチの前記概略的位置周辺の駆動ラインを活性化し、前記複数の感知ラインのうちの前記一部の感知ライン及び前記第１タッチの前記概略的位置周辺の感知ラインを活性化して第２タッチの概略的位置及び前記第１タッチの精密な位置を検出するレア及びローカルスキャンをさらに遂行することを特徴とするタッチパネル。
【請求項１７】
イメージを表示するディスプレイパネルと、
前記ディスプレイパネルを駆動するディスプレイドライバと、
第１方向に延伸した複数の駆動ライン及び前記第１方向に直交する第２方向に延伸した複数の感知ラインを含むタッチパネルと、
前記タッチパネルを駆動するタッチコントローラと、を含み、
前記タッチコントローラは、前記複数の駆動ラインのうち一部の駆動ラインを活性化し、前記複数の感知ラインのうち一部の感知ラインを活性化して使用者からのタッチの概略的位置を検出するレアスキャンを遂行するように前記タッチパネルを制御し、
前記タッチコントローラは、前記複数の駆動ラインのうちの前記タッチの前記概略的位置周辺の駆動ラインを活性化し、前記複数の感知ラインのうちの前記タッチの前記概略的位置周辺の感知ラインを活性化して前記タッチの精密な位置を検出するローカルスキャンを遂行するように前記タッチパネルをさらに制御することを特徴とするディスプレイ装置。
【請求項１８】
前記ディスプレイドライバ及び前記タッチコントローラは、互いに違うチップで具現されたことを特徴とする請求項１７に記載のディスプレイ装置。
【請求項１９】
前記ディスプレイドライバ及び前記タッチコントローラは、１つのチップで具現されたことを特徴とする請求項１７に記載のディスプレイ装置。
【請求項２０】
前記タッチコントローラは、前記複数の駆動ラインに駆動パルスを印加する送信ブロック及び前記複数の感知ラインからの出力を受信する受信ブロックを含み、
前記タッチコントローラの前記送信ブロックは、前記ディスプレイドライバが具現されたチップ内に位置することを特徴とする請求項１７に記載のディスプレイ装置。
【請求項２１】
イメージを表示するディスプレイパネルと、
前記ディスプレイパネルを駆動するディスプレイドライバと、
第１方向に延伸した複数の駆動ライン及び前記第１方向に直交する第２方向に延伸した複数の感知ラインを含むタッチパネルと、
前記タッチパネルを駆動するタッチコントローラと、を含み、
前記タッチコントローラは、前記複数の駆動ラインのうち一部の駆動ラインを活性化し、前記複数の感知ラインのうち一部の感知ラインを活性化して使用者からの第１タッチの概略的位置を検出するレアスキャンを遂行するように前記タッチパネルを制御し、
前記タッチコントローラは、前記複数の駆動ラインのうちの前記一部の駆動ライン及び前記第１タッチの前記概略的位置周辺の駆動ラインを活性化し、前記複数の感知ラインのうちの前記一部の感知ライン及び前記第１タッチの前記概略的位置周辺の感知ラインを活性化し、第２タッチの概略的位置及び前記第１タッチの精密な位置を検出するレア及びローカルスキャンを遂行するように前記タッチパネルをさらに制御することを特徴とするディスプレイ装置。
【請求項２２】
イメージを表示するディスプレイパネルと、
前記ディスプレイパネルを駆動するディスプレイドライバと、
各々独立的に駆動する複数のセンシングブロックと、を含み、
使用者からのタッチを感知するタッチパネルと、
前記タッチパネルを駆動するタッチコントローラと、を含み、
前記タッチコントローラは、各タッチフレームで前記複数のセンシングブロックのうちの一部が前記使用者からの前記タッチの概略的位置を検出するレアスキャンを遂行するように前記タッチパネルを制御し、
前記タッチコントローラは、前記複数のセンシングブロックのうちの前記タッチを感知したセンシングブロックが前記タッチの精密な位置を検出するローカルスキャンを遂行するように前記タッチパネルをさらに制御することを特徴とするディスプレイ装置。
【請求項２３】
前記タッチコントローラは、各タッチフレームごとに前記複数のセンシングブロックのうちいずれか１つのセンシングブロックが前記レアスキャンを遂行するように、前記複数のセンシングブロックを順次に活性化することを特徴とする請求項２２に記載のディスプレイ装置。
【請求項２４】
複数の行及び複数の列を有するマトリックス形態で配置された複数のタッチセンサーセルを含むタッチパネルの駆動方法にであって、
前記複数のタッチセンサーセルのうち、一部のタッチセンサーセルを活性化して使用者からのタッチの概略的位置を検出するレアスキャンを遂行する段階と、
前記複数のセンサセルのうち、前記タッチの前記概略的位置周辺のタッチセンサーセルを活性化して前記タッチの精密な位置を検出する局部スキャンを遂行する段階と、を含むタッチパネルの駆動方法。
【請求項２５】
複数の行及び複数の列を有するマトリックス形態に配置された複数のタッチセンサーセルを含むタッチパネルの駆動方法にであって、
前記複数のタッチセンサーセルのうち、一部のタッチセンサーセルを活性化して使用者からの第１タッチの概略的位置を検出するレアスキャンを遂行する段階と、
前記複数のセンサセルのうち、前記一部のタッチセンサーセル及び前記第１タッチの前記概略的位置周辺のタッチセンサーセルを活性化して第２タッチの概略的位置及び前記第１タッチの精密な位置を検出する局部スキャンを遂行する段階と、を含むタッチパネルの駆動方法。
【請求項２６】
複数の駆動ライン及び複数の感知ラインを含むタッチパネルの駆動方法にであって、
外部のホストから使用者からの入力を受信する領域に対する情報を受信する段階と、
前記入力を受信する領域に対する情報に基づいて前記複数の駆動ラインのうちの前記入力を受信する領域に相応する駆動ラインを活性化し、前記複数の感知ラインのうちの前記入力を受信する領域に相応する感知ラインを活性化して前記使用者からのタッチの位置を検出するローカルスキャンを遂行する段階と、を含むタッチパネルの駆動方法。
【請求項２７】
前記使用者からの前記入力を受信する領域はユーザインタフェース（Ｕｓｅｒ  Ｉｎｔｅｒｆａｃｅ）が表示される領域であることを特徴とする請求項２６に記載のタッチパネルの駆動方法。
【請求項２８】
前記入力を受信する領域に対する情報は、前記入力を受信する領域に相応する前記駆動ラインを示す駆動ライン情報及び前記入力を受信する領域に相応する前記感知ラインを示す感知ライン情報を含むことを特徴とする請求項２６に記載のタッチパネルの駆動方法。
【発明の詳細な説明】
【技術分野】
【０００１】
本発明は、タッチ感知に関し、より詳細にはタッチパネルの駆動方法、タッチパネル、及びディスプレイ装置に関する。
【背景技術】
【０００２】
タッチパネルは、使用者による入力行為またはイベントを認識するための装置である。通常的に、タッチパネルは、人の手または物体の接触を電気的信号に変換し接触する位置を検出することができる。タッチパネルは有機発光表示（ＯＬＥＤ）パネル、液晶表示（ＬＣＤ）パネルなどのようなディスプレイパネルの上面に装着されか、または、ディスプレイパネル内に形成され、抵抗膜方式、静電容量方式、電磁界方式、赤外線方式、表面弾性波（Ｓｕｒｆａｃｅ  Ａｃｏｕｓｔｉｃ  Ｗａｖｅ；ＳＡＷ）方式、近接場イメージング（Ｎｅａｒ  Ｆｉｅｌｄ  Ｉｍａｇｉｎｇ；ＮＦＩ）方式などに区分されることができる。
【先行技術文献】
【特許文献】
【０００３】
【特許文献１】特開２００９−２８９２３５号公報
【発明の概要】
【発明が解決しようとする課題】
【０００４】
従来のタッチパネルは、前記タッチパネルに含まれた全てのタッチポイントをスキャンすることによって使用者のタッチを感知する。一方、ディスプレイ装置及びタッチパネルが大型化されることによってタッチポイントの数が増加することによって、タッチパネルの電力消耗が増加し、スキャン時間が増加する問題がある。
【０００５】
そこで、本発明は、上記問題に鑑みてなされたものであり、本発明の目的とするところは、スキャン時間を減少させて、電力消耗を減少させることのできるタッチパネルの駆動方法、タッチパネル、及びディスプレイ装置を提供することにある。
【０００６】
本発明の他の目的は、スキャン時間を減少させ、電力消耗を減少させることができるタッチパネルを提供することにある。
【０００７】
本発明のまた他の目的は、スキャン時間を減少させ、電力消耗を減少させることのできるタッチパネルを含むディスプレイ装置を提供することにある。
【０００８】
なお、本発明の解決しようとする課題は、上述した課題に限定されるのではなく、本発明の思想及び領域から逸脱しない範囲で多様に拡張される。
【課題を解決するための手段】
【０００９】
上記課題を解決するために、本発明のある観点によれば、複数の駆動ライン及び複数の感知ラインを含むタッチパネルの駆動方法において、前記複数の駆動ラインのうち一部の駆動ラインを活性化し、前記複数の感知ラインのうち一部の感知ラインを活性化して使用者からのタッチの概略的位置を検出するレアスキャンが遂行される。前記複数の駆動ラインのうちの前記タッチの前記概略的位置周辺の駆動ラインを活性化して、前記複数の感知ラインのうちの前記タッチの前記概略的位置周辺の感知ラインを活性化して前記タッチの精密な位置を検出するローカルスキャンが遂行される。
【００１０】
一実施形態において、前記レアスキャンを遂行するように、前記複数の駆動ラインのうち、Ｎ個（Ｎは、２以上の自然数）の駆動ラインごとにＭ個（Ｍは、１以上Ｎ−１以下の自然数）の駆動ラインが活性化し、前記複数の感知ラインのうちのＬ個（Ｌは、２以上の自然数）の感知ラインごとにＫ個（Ｋは、１以上Ｌ−１以下の自然数）の感知ラインが活性化されることができる。
【００１１】
一実施形態において、前記レアスキャンを遂行するように、前記複数の駆動ラインのうちの奇数番目駆動ラインが活性化され、前記複数の感知ラインのうちの奇数番目感知ラインが活性化されることができる。
【００１２】
一実施形態において、前記レアスキャンを遂行するように、前記複数の駆動ラインのうちの偶数番目駆動ラインが活性化され、前記複数の感知ラインのうちの偶数番目感知ラインが活性化されることができる。
【００１３】
一実施形態において、前記レアスキャンを遂行するように、奇数番目タッチフレームで前記複数の駆動ラインのうちの奇数番目駆動ラインが活性化され、前記奇数番目タッチフレームで前記複数の感知ラインのうちの奇数番目感知ラインが活性化され、偶数番目タッチフレームで前記複数の駆動ラインのうちの偶数番目駆動ラインが活性化され、前記偶数番目タッチフレームで前記複数の感知ラインのうちの偶数番目感知ラインが活性化されることができる。
【００１４】
一実施形態において、前記ローカルスキャンを遂行するように、前記複数の駆動ラインのうちの前記タッチの前記概略的位置に相応する第１駆動ライン及び前記第１駆動ラインに隣接した少なくとも１つの第２駆動ラインが活性化され、前記複数の感知ラインのうちの前記タッチの前記概略的位置に相応する第１感知ライン及び前記第１感知ラインに隣接した少なくとも１つの第２感知ラインが活性化されることができる。
【００１５】
一実施形態において、前記複数の駆動ラインのうちの前記タッチの前記精密な位置周辺の駆動ラインを活性化し、前記複数の感知ラインのうちの前記タッチの前記精密な位置周辺の感知ラインを活性化して前記タッチの変更された精密な位置を検出する後続ローカルスキャンが遂行されることができる。
【００１６】
一実施形態において、前記ローカルスキャン及び前記後続ローカルスキャンを通じて前記使用者のドラッグ動作が感知されることができる。
【００１７】
一実施形態において、前記レアスキャン及び前記ローカルスキャンを通じて第１地点に位置した第１タッチが感知され、後続レアスキャン及び後続ローカルスキャンを通じて前記第１地点から離隔された第２地点に位置した第２タッチが感知されることができる。
【００１８】
本発明の一目的を達成するために、本発明の実施形態に係る複数の駆動ライン及び複数の感知ラインを含むタッチパネルの駆動方法において、前記複数の駆動ラインのうち一部の駆動ラインを活性化し、前記複数の感知ラインのうち一部の感知ラインを活性化して使用者からの第１タッチの概略的位置を検出するレアスキャンが遂行される。前記複数の駆動ラインのうちの前記一部の駆動ライン及び前記第１タッチの前記概略的位置周辺の駆動ラインを活性化し、前記複数の感知ラインのうちの前記一部の感知ライン及び前記第１タッチの前記概略的位置周辺の感知ラインを活性化して、第２タッチの概略的位置及び前記第１タッチの精密な位置を検出するレア及びローカルスキャンが遂行される。
【００１９】
一実施形態において、前記レアスキャンを遂行するように、前記複数の駆動ラインのうちのＮ個（Ｎは、２以上の自然数）の駆動ラインごとにＭ個（Ｍは、１以上Ｎ−１以下の自然数）の駆動ラインが活性化され、前記複数の感知ラインのうちのＬ個（Ｌは、２以上の自然数）の感知ラインごとにＫ個（Ｋは、１以上Ｌ−１以下の自然数）の感知ラインが活性化されることができる。
【００２０】
一実施形態において、前記レア及びローカルスキャンを遂行するように、前記複数の駆動ラインのうちの前記一部の駆動ライン、前記第１タッチの前記概略的位置に相応する第１駆動ライン、及び前記第１駆動ラインに隣接した少なくとも１つの第２駆動ラインが活性化され、前記複数の感知ラインのうちの前記一部の感知ライン、前記タッチの前記概略的位置に相応する第１感知ライン、及び前記第１感知ラインに隣接した少なくとも１つの第２感知ラインが活性化されることができる。
【００２１】
一実施形態において、前記複数の駆動ラインのうちの前記一部の駆動ライン、前記第１タッチの前記精密な位置周辺の駆動ライン、及び前記第２タッチの前記概略的位置周辺の駆動ラインを活性化し、前記複数の感知ラインのうちの前記一部の感知ライン、前記第１タッチの前記精密な位置周辺の感知ライン、及び前記第２タッチの前記概略的位置周辺の感知ラインを活性化して、前記第１タッチの前記精密な位置及び前記第２タッチの精密な位置を検出する後続レア及びローカルスキャンが遂行されることができる。
【００２２】
一実施形態において、前記後続レア及びローカルスキャンを通じて前記第１タッチ及び前記第２タッチを含むマルチ−タッチが感知されることができる。
【００２３】
本発明の他の目的を達成するために、本発明の実施形態に係るタッチパネルは、第１方向に延伸した複数の駆動ライン、及び前記第１方向に直交する第２方向に延伸した複数の感知ラインを含む。前記タッチパネルは、前記複数の駆動ラインのうち一部の駆動ラインを活性化し、前記複数の感知ラインのうち一部の感知ラインを活性化して使用者からのタッチの概略的位置を検出するレアスキャンを遂行する。前記タッチパネルは、前記複数の駆動ラインのうちの前記タッチの前記概略的位置周辺の駆動ラインを活性化し、前記複数の感知ラインのうちの前記タッチの前記概略的位置周辺の感知ラインを活性化して前記タッチの精密な位置を検出するローカルスキャンを遂行する。
【００２４】
本発明の他の目的を達成するために、本発明の実施形態に係るタッチパネルは、第１方向に延伸した複数の駆動ライン、及び前記第１方向に直交する第２方向に延伸した複数の感知ラインを含む。前記タッチパネルは、前記複数の駆動ラインのうち一部の駆動ラインを活性化し、前記複数の感知ラインのうち一部の感知ラインを活性化して使用者からの第１タッチの概略的位置を検出するレアスキャンを遂行する。前記タッチパネルは、前記複数の駆動ラインのうちの前記一部の駆動ライン及び前記第１タッチの前記概略的位置周辺の駆動ラインを活性化し、前記複数の感知ラインのうちの前記一部の感知ライン及び前記第１タッチの前記概略的位置周辺の感知ラインを活性化して第２タッチの概略的位置及び前記第１タッチの精密な位置を検出するレア及びローカルスキャンをより一層遂行する。
【００２５】
本発明のまた他の目的を達成するために、本発明の実施形態に係るディスプレイ装置はディスプレイパネル、ディスプレイドライバ、タッチパネル及びタッチコントローラを含む。前記ディスプレイパネルは、イメージを表示する。前記ディスプレイドライバは、前記ディスプレイパネルを駆動する。前記タッチパネルは、第１方向に延伸した複数の駆動ライン及び前記第１方向に直交する第２方向に延伸した複数の感知ラインを含む。前記タッチコントローラは、前記タッチパネルを駆動する。前記タッチコントローラは、前記複数の駆動ラインのうち一部の駆動ラインを活性化し、前記複数の感知ラインのうち一部の感知ラインを活性化して使用者からのタッチの概略的位置を検出するレアスキャンを遂行するように前記タッチパネルを制御して、前記タッチコントローラは、前記複数の駆動ラインのうちの前記タッチの前記概略的位置周辺の駆動ラインを活性化し、前記複数の感知ラインのうちの前記タッチの前記概略的位置周辺の感知ラインを活性化して前記タッチの精密な位置を検出するローカルスキャンを遂行するように前記タッチパネルをさらに制御する。
【００２６】
一実施形態において、前記ディスプレイドライバ及び前記タッチコントローラは互いに違うチップで具現することができる。
【００２７】
一実施形態において、前記ディスプレイドライバ及び前記タッチコントローラは１つのチップで具現することができる。
【００２８】
一実施形態において、前記タッチコントローラは前記複数の駆動ラインに駆動パルスを印加する送信ブロック及び前記複数の感知ラインからの出力を受信する受信ブロックを含み、前記タッチコントローラの前記送信ブロックは、前記ディスプレイドライバが具現されたチップ内に位置することができる。
【００２９】
本発明のまた他の目的を達成するために、本発明の実施形態に係るディスプレイ装置はディスプレイパネル、ディスプレイドライバ、タッチパネル、及びタッチコントローラを含む。前記ディスプレイパネルはイメージを表示する。前記ディスプレイドライバは、前記ディスプレイパネルを駆動する。前記タッチパネルは、第１方向に延伸した複数の駆動ライン及び前記第１方向に直交する第２方向に延伸した複数の感知ラインを含む。前記タッチコントローラは、前記タッチパネルを駆動する。前記タッチコントローラは、前記複数の駆動ラインのうち一部の駆動ラインを活性化し、前記複数の感知ラインのうち一部の感知ラインを活性化して使用者からの第１タッチの概略的位置を検出するレアスキャンを遂行するように前記タッチパネルを制御し、前記タッチコントローラは、前記複数の駆動ラインのうちの前記一部の駆動ライン及び前記第１タッチの前記概略的位置周辺の駆動ラインを活性化し、前記複数の感知ラインのうちの前記一部の感知ライン及び前記第１タッチの前記概略的位置周辺の感知ラインを活性化して第２タッチの概略的位置及び前記第１タッチの精密な位置を検出するレア及びローカルスキャンを遂行するように前記タッチパネルをさらに制御する。
【００３０】
本発明のまた他の目的を達成するために、本発明の実施形態に係るディスプレイ装置はディスプレイパネル、ディスプレイドライバ、タッチパネ、及びタッチコントローラを含む。前記ディスプレイパネルはイメージを表示する。前記ディスプレイドライバは前記ディスプレイパネルを駆動する。前記タッチパネルは、各々独立的に駆動する複数のセンシングブロックを含み、使用者からのタッチを感知する。前記タッチコントローラは前記タッチパネルを駆動する。前記タッチコントローラは、各タッチフレームで前記複数のセンシングブロックのうちの一部が前記使用者からの前記タッチの概略的位置を検出するレアスキャンを遂行するように前記タッチパネルを制御し、前記タッチコントローラは、前記複数のセンシングブロックのうちの前記タッチを感知したセンシングブロックが前記タッチの精密な位置を検出するローカルスキャンを遂行するように前記タッチパネルをさらに制御する。
【００３１】
一実施形態において、前記タッチコントローラは、各タッチフレームごとに前記複数のセンシングブロックのうち、いずれか１つのセンシングブロックが前記レアスキャンを遂行するように前記複数のセンシングブロックを順次に活性化することができる。
【００３２】
本発明の一目的を達成するために、本発明の実施形態に係る複数の行及び複数の列を有するマトリックス形態に配置された複数のタッチセンサーセルを含むタッチパネルの駆動方法で、前記複数のタッチセンサーセルのうち、一部のタッチセンサーセルを活性化して使用者からのタッチの概略的位置を検出するレアスキャンが遂行される。前記複数のセンサセルのうち、前記タッチの前記概略的位置周辺のタッチセンサーセルを活性化して前記タッチの精密な位置を検出する局部スキャンが遂行される。
【００３３】
本発明の一目的を達成するために、本発明の実施形態に係る複数の行及び複数の列を有するマトリックス形態に配置された複数のタッチセンサーセルを含むタッチパネルの駆動方法において、前記複数のタッチセンサーセルのうち、一部のタッチセンサーセルを活性化して使用者からの第１タッチの概略的位置を検出するレアスキャンが遂行される。前記複数のセンサセルのうち前記一部のタッチセンサーセル及び前記第１タッチの前記概略的位置周辺のタッチセンサーセルを活性化して第２タッチの概略的位置及び前記第１タッチの精密な位置を検出する局部スキャンが遂行される。
【００３４】
本発明の一目的を達成するために、本発明の実施形態に係る複数の駆動ライン及び複数の感知ラインを含むタッチパネルの駆動方法において、外部のホストから、使用者からの入力を受信する領域に対する情報が受信される。前記入力を受信する領域に対する情報に基づいて前記複数の駆動ラインのうち前記入力を受信する領域に相応する駆動ラインを活性化し、前記複数の感知ラインのうち前記入力を受信する領域に相応する感知ラインを活性化して前記使用者からのタッチの位置を検出するローカルスキャンが遂行される。
【００３５】
一実施形態において、前記使用者からの前記入力を受信する領域は、ユーザインタフェース（Ｕｓｅｒ  Ｉｎｔｅｒｆａｃｅ）が表示される領域であることができる。
【００３６】
一実施形態において、前記入力を受信する領域に対する情報は、前記入力を受信する領域に相応する前記駆動ラインを示す駆動ライン情報及び前記入力を受信する領域に相応する前記感知ラインを示す感知ライン情報を含むことができる。
【発明の効果】
【００３７】
以上説明したように本発明によれば、レアスキャン、ローカルスキャン、及び／または、レア及びローカルスキャンを遂行してスキャン時間を減少させ、電力消耗を減少させることができる。
【００３８】
また、本発明の実施形態に係るタッチパネルの駆動方法、タッチパネル、及びディスプレイ装置は、大型ディスプレイ装置に容易に適用されることができる。
【００３９】
ただし、本発明の効果は、上述した効果に限定されるのではなく、本発明の思想及び領域から逸脱しない範囲で多様に拡張するべきである。
【図面の簡単な説明】
【００４０】
【図１】本発明の一実施形態に係るタッチパネルの駆動方法を示すフローチャートである。
【図２】図１の駆動方法を遂行するタッチパネルの一例を示す図面である。
【図３】図１の駆動方法を遂行するタッチパネルの一例を示す図面である。
【図４】図１の駆動方法を遂行するタッチパネルの駆動タイミングを示す図面である。
【図５】図１の駆動方法を遂行するタッチパネルの駆動タイミングを示す図面である。
【図６】図１の駆動方法を遂行するタッチパネルの他の例を示す図面である。
【図７】図１の駆動方法を遂行するタッチパネルの他の例を示す図面である。
【図８】図１の駆動方法を遂行して使用者のドラッグ動作を感知するタッチパネルの一例を示す図面である。
【図９】図１の駆動方法を遂行して使用者のドラッグ動作を感知するタッチパネルの一例を示す図面である。
【図１０】図１の駆動方法を遂行して使用者のドラッグ動作を感知するタッチパネルの一例を示す図面である。
【図１１】図１の駆動方法を遂行して離隔されたタッチを感知するタッチパネルの一例を示す図面である。
【図１２】図１の駆動方法を遂行して離隔されたタッチを感知するタッチパネルの一例を示す図面である。
【図１３】図１の駆動方法を遂行して離隔されたタッチを感知するタッチパネルの一例を示す図面である。
【図１４】本発明の他の実施形態に係るタッチパネルの駆動方法を示すフローチャートである。
【図１５】図１４の駆動方法を遂行してマルチ−タッチを感知するタッチパネルの一例を示す図面である。
【図１６】図１４の駆動方法を遂行してマルチ−タッチを感知するタッチパネルの一例を示す図面である。
【図１７】図１４の駆動方法を遂行してマルチ−タッチを感知するタッチパネルの一例を示す図面である。
【図１８】本発明の一実施形態に係るディスプレイ装置を示すブロック図である。
【図１９】図１８のディスプレイ装置に含まれたタッチコントローラを示すブロック図である。
【図２０】本発明の他の実施形態に係るディスプレイ装置を示すブロック図である。
【図２１】本発明のまた他の実施形態に係るディスプレイ装置を示すブロック図である。
【図２２】本発明のまた他の実施形態に係るディスプレイ装置を示すブロック図である。
【図２３】図２２のディスプレイ装置に含まれたタッチパネルの駆動タイミングを示す図面である。
【図２４】本発明のまた他の実施形態に係るタッチパネルの駆動方法を示すフローチャートである。
【図２５】図２４の駆動方法を遂行するディスプレイパネル及びタッチパネルの一例を示す図面である。
【図２６】図２４の駆動方法を遂行するディスプレイパネル及びタッチパネルの一例を示す図面である。
【図２７】図２４の駆動方法を遂行するホスト及びディスプレイ装置を示すブロック図である。
【図２８】ホストからディスプレイ装置に提供されるコマンドの一例を示す図面である。
【図２９】本発明の実施形態に係るディスプレイ装置を含むコンピューティングシステムを示すブロック図である。
【発明を実施するための形態】
【００４１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００４２】
本明細書に開示されている本発明の実施形態に対して、特定の構造的ないし機能的説明は、単に本発明の実施形態を説明するための目的で例示されたものであり、本発明の実施形態は多様な形態で実施することができ、本明細書に説明された実施形態に限定されるものではない。
【００４３】
本発明は多様な変更を加えることができ、種々の形態を有することができるが、特定の実施形態を図面に例示して本明細書に詳細に説明する。しかし、これは本発明を特定の開示形態に限定しようとするものではなく、本発明の思想及び技術範囲に含まれる全ての変更、均等物ないし代替物を含むと理解するべきである。
【００４４】
本明細書において、第１、第２等の用語は多様な構成要素を説明するのに使用することができるが、これらの構成要素がこのような用語によって限定されてはならない。これらの用語は１つの構成要素を他の構成要素から区別する目的で使われる。例えば、本発明の権利範囲から逸脱せずに第１構成要素は第２構成要素と命名することができ、同様に第２構成要素も第１構成要素と命名することができる。
【００４５】
ある構成要素が他の構成要素に「連結されて」いる、または「接続されて」いると言及された場合には、その他の構成要素に直接的に連結されていたり、接続されていることも意味するが、中間に他の構成要素が存在する場合も含むと理解するべきである。一方、ある構成要素が他の構成要素に「直接連結されて」いる、または「直接接続されて」いると言及された場合には、中間に他の構成要素が存在しないと理解すべきである。構成要素の間の関係を説明する他の表現、即ち、「〜間に」と「すぐに〜間に」または「〜に隣接する」と「〜に直接隣接する」等も同じように解釈すべきである。
【００４６】
本明細書で使用した用語は単に特定の実施形態を説明するために使用したもので、本発明を限定するものではない。単数の表現は文脈上明白に異なるように意味しない限り、複数の表現を含む。本明細書で、「含む」または「有する」等の用語は明細書上に記載された特徴、数字、段階、動作、構成要素、部品または、これを組み合わせたのが存在するということを示すものであって、１つまたはそれ以上の他の特徴や数字、段階、動作、構成要素、部品または、これを組み合わせたものなどの存在または、付加の可能性を、予め排除するわけではない。
【００４７】
また、別に定義しない限り、技術的或いは科学的用語を含み、本明細書中において使用される全ての用語は本発明が属する技術分野で通常の知識を有する者であれば、一般的に理解するのと同一の意味を有する。一般的に使用される辞書において定義する用語と同じ用語は関連技術の文脈上に有する意味と一致する意味を有するものと理解するべきで、本明細書において明白に定義しない限り、理想的或いは形式的な意味として解釈してはならない。
【００４８】
以下、添付図面を参照して、本発明の望ましい実施形態をより詳細に説明する。図面上の同一構成要素に対しては同一または類似する参照符号を使用する。
【００４９】
図１は本発明の一実施形態に係るタッチパネルの駆動方法を示すフローチャートである。
【００５０】
図１を参照すれば、タッチパネルは、複数の駆動ラインのうち一部の駆動ラインを活性化し、複数の感知ラインのうち一部の感知ラインを活性化して使用者からのタッチの概略的位置（Ｃｏａｒｓｅ  Ｐｏｓｉｔｉｏｎ）を検出するレアスキャン（Ｒａｒｅ  Ｓｃａｎ）を遂行できる（Ｓ１１０）。前記レアスキャンを遂行する間に活性化する前記一部の駆動ライン及び前記一部の感知ラインは任意の駆動ライン及び任意の感知ラインでありうる。一実施形態において、前記タッチパネルは、Ｎ個（Ｎは、２以上の自然数）の駆動ラインごとにＭ個（Ｍは、１以上Ｎ−１以下の自然数）の駆動ラインを活性化し、Ｌ個（Ｌは、２以上の自然数）の感知ラインごとにＫ個（Ｋは、１以上Ｌ−１以下の自然数）の感知ラインを活性化して前記レアスキャンを遂行できる。他の実施形態において、前記タッチパネルは、奇数番目（または、偶数番目）駆動ライン及び奇数番目（または、偶数番目）感知ラインを活性化して前記レアスキャンを遂行できる。また他の実施形態において、各タッチフレームごとに活性化する前記一部の駆動ライン及び前記一部の感知ラインが変更されることができる。例えば、前記タッチパネルは、奇数番目タッチフレームで前記奇数番目駆動ライン及び前記奇数番目感知ラインを活性化し、偶数番目タッチフレームで前記偶数番目駆動ライン及び前記偶数番目感知ラインを活性化することができる。一方、前記タッチパネルはディスプレイパネルに対する垂直動機信号ＶＳＹＮＣ、及び／または、水平動機信号（ＨＳＹＮＣ）に同期されて駆動することができ、前記タッチフレームの周期は、前記ディスプレイパネルに対するディスプレイフレームの周期に相応することができる。前記レアスキャンによって前記タッチの発生可否及び前記タッチの前記概略的位置が検出されることができる。
【００５１】
前記レアスキャンによって前記タッチが感知されなかった場合（Ｓ１２０：ＮＯ）、再び前記レアスキャンが遂行されることができる（Ｓ１１０）。前記レアスキャンによって前記タッチが感知された場合（Ｓ１２０：ＹＥＳ）、前記タッチパネルは前記タッチの前記概略的位置を検出することができる（Ｓ１３０）。
【００５２】
前記タッチの前記概略的位置が検出されると、前記タッチパネルは前記タッチの前記概略的位置周辺の駆動ライン及び感知ラインを活性化して前記タッチの精密な位置（Ｆｉｎｅ  Ｐｏｓｉｔｉｏｎ）を検出するローカルスキャン（Ｌｏｃａｌ  Ｓｃａｎ）を遂行できる（Ｓ１４０）。一実施形態において、前記タッチパネルは、前記タッチの前記概略的位置に相応する第１駆動ライン及び前記第１駆動ラインに隣接した少なくとも１つの第２駆動ラインを活性化し、前記タッチの前記概略的位置に相応する第１感知ライン及び前記第１感知ラインに隣接した少なくとも１つの第２感知ラインを活性化して前記ローカルスキャンを遂行できる。例えば、前記タッチの前記概略的位置が、「（Ｘａ，Ｙａ）」である場合、前記タッチパネルは、Ｘａ−Ａ番目〜Ｘａ＋Ａ番目駆動ライン（Ａは、１以上の自然数）、及び、Ｙａ−Ｂ番目〜Ｙａ＋Ｂ番目感知ライン（Ｂは、１以上の自然数）を活性化することができる。
【００５３】
前記ローカルスキャンによって前記タッチが感知された場合（Ｓ１５０：ＹＥＳ）、前記タッチパネルは前記タッチの前記精密な位置を検出することができる（Ｓ１６０）。即ち、前記タッチパネルは、前記レアスキャンによって低解像度で前記タッチの前記概略的位置（例えば、（Ｘａ，Ｙａ））を検出でき、前記ローカルスキャンによって高解像度で前記タッチの前記精密な位置（例えば、（Ｘａ’，Ｙａ’））を検出することができる。前記ローカルスキャンによって前記タッチが感知されて（Ｓ１５０：ＹＥＳ）、前記タッチパネルの感知動作が継続的に遂行される場合（Ｓ１７０：ＮＯ）、前記タッチパネルは前記ローカルスキャンをまた遂行できる（Ｓ１４０）。一方、前記ローカルスキャンによって前記タッチが感知されなかった場合（Ｓ１５０：ＮＯ）、前記タッチパネルは前記レアスキャンをまた遂行できる（Ｓ１１０）。また、前記タッチパネルが前記感知動作を遂行する間、例えば、外部のホストが前記感知動作を中止することを要請する場合（Ｓ１７０：ＹＥＳ）、前記タッチパネルは前記感知動作を中止することができる。
【００５４】
上述したように、本発明の一実施形態に係るタッチパネルの駆動方法において、タッチパネルは、レアスキャンを遂行して低解像度でタッチの概略的位置を検出し、前記概略的位置周辺に対してローカルスキャンを遂行して高解像度でタッチの精密な位置を検出することができる。このように、本発明の一実施形態に係るタッチパネルの駆動方法において、前記タッチパネルが前記レアスキャン、または、前記ローカルスキャンを遂行する間、複数の駆動ライン及び複数の感知ラインのうち一部の駆動ライン及び一部の感知ラインだけが活性化されるので、前記複数の駆動ライン及び前記複数の感知ラインを全部活性化する従来のタッチパネルの駆動方法に比べてスキャン時間が減少することができ、電力消耗が減少することができる。一方、従来のタッチパネルの駆動方法は、長いスキャン時間のために大型ディスプレイ装置に適用するのが不可能であったが、本発明の一実施形態に係るタッチパネルの駆動方法は、減少したスキャン時間を有するので多数の駆動ライン及び多数の感知ラインを含む大型ディスプレイ装置にも容易に適用することができる。
【００５５】
図２及び図３は図１の駆動方法を遂行するタッチパネルの一例を示す図面である。図４及び図５は図１の駆動方法を遂行するタッチパネルの駆動タイミングを示す図面である。
【００５６】
図２を参照すれば、タッチパネル２００は、第１方向に延伸した複数の駆動ラインＴＸ１、ＴＸ２、ＴＸ３、ＴＸ４、ＴＸ５、ＴＸ６、ＴＸ７、ＴＸ８、及び前記第１方向に実質的に直交する第２方向に延伸した複数の感知ラインＲＸ１、ＲＸ２、ＲＸ３、ＲＸ４、ＲＸ５、ＲＸ６、ＲＸ７、ＲＸ８、ＲＸ９、ＲＸ１０を含むことができる。例えば、前記第１方向は垂直方向であり、前記第２方向は水平方向であることができる。一方、図２には直交座標系Ｘ１、Ｘ２、Ｘ３、Ｘ４、Ｘ５、Ｘ６、Ｘ７、Ｘ８、Ｙ１、Ｙ２、Ｙ３、Ｙ４、Ｙ５、Ｙ６、Ｙ７、Ｙ８、Ｙ９、Ｙ１０を利用するタッチパネル２００の例が図示されているが、実施形態により、タッチパネル２００は、任意の座標系を利用することができる。例えば、タッチパネル２００は極座標系を利用することができる。この場合、複数の駆動ラインＴＸ１、ＴＸ２、ＴＸ３、ＴＸ４、ＴＸ５、ＴＸ６、ＴＸ７、ＴＸ８は、同心円形状または放射状を有するように形成されることができ、複数の感知ラインＲＸ１、ＲＸ２、ＲＸ３、ＲＸ４、ＲＸ５、ＲＸ６、ＲＸ７、ＲＸ８、ＲＸ９、ＲＸ１０は、複数の駆動ラインＴＸ１、ＴＸ２、ＴＸ３、ＴＸ４、ＴＸ５、ＴＸ６、ＴＸ７、ＴＸ８に直交する放射状、または、同心円形状を有するように形成できる。
【００５７】
一実施形態において、タッチパネル２００は、ディスプレイパネルに対する垂直動機信号ＶＳＹＮＣ、及び／または、水平動機信号に同期されて駆動することができる。例えば、タッチパネル２００は、ディスプレイノイズを回避するために、垂直動機信号ＶＳＹＮＣの前後にディスプレイデータが活性化されないポーチ（Ｐｏｒｃｈ）区間の間に感知動作を遂行できる。
【００５８】
タッチパネル２００の前記感知動作が始まると、タッチパネル２００は、複数の駆動ラインＴＸ１、ＴＸ２、ＴＸ３、ＴＸ４、ＴＸ５、ＴＸ６、ＴＸ７、ＴＸ８のうち、一部の駆動ラインを駆動してレアスキャンを遂行できる。一実施形態において、図２に示したように、タッチパネル２００は奇数番目駆動ラインＴＸ１、ＴＸ３、ＴＸ５、ＴＸ７を活性化することができる。例えば、図４に示したように、タッチパネル２００は、垂直動機信号ＶＳＹＮＣに同期されて駆動でき、チャネル選択信号ＣＳＳの各パルスに応答して複数の駆動ラインＴＸ１、ＴＸ２、ＴＸ３、ＴＸ４、ＴＸ５、ＴＸ６、ＴＸ７、ＴＸ８を順次に選択でき、各奇数番目駆動ラインＴＸ１、ＴＸ３、ＴＸ５、ＴＸ７が選択されれば、選択された奇数番目駆動ラインＴＸ１、ＴＸ３、ＴＸ５、ＴＸ７に駆動パルスＴＸＰを印加することができる。各奇数番目駆動ラインＴＸ１、ＴＸ３、ＴＸ５、ＴＸ７に駆動パルスＴＸＰが印加されれば、タッチパネル２００は奇数番目感知ラインＲＸ１、ＲＸ３、ＲＸ５、ＲＸ７を活性化することができる。例えば、タッチパネル２００は、奇数番目感知ラインＲＸ１、ＲＸ３、ＲＸ５、ＲＸ７からの出力を受信して各奇数番目駆動ラインＴＸ１、ＴＸ３、ＴＸ５、ＴＸ７と、奇数番目感知ラインＲＸ１、ＲＸ３、ＲＸ５、ＲＸ７との交点（即ち、タッチポイント）でのキャパシタンスを順次に、または、同時に測定することができる。これに伴い、奇数番目駆動ラインＴＸ１、ＴＸ３、ＴＸ５、ＴＸ７と、奇数番目感知ラインＲＸ１、ＲＸ３、ＲＸ５、ＲＸ７との交点に位置したタッチポイントで使用者のタッチＡを感知することができる。一方、図２には奇数番目駆動ラインＴＸ１、ＴＸ３、ＴＸ５、ＴＸ７、及び、奇数番目感知ラインＲＸ１、ＲＸ３、ＲＸ５、ＲＸ７を活性化して前記レアスキャンを遂行する例が図示されているが、実施形態に従がい、タッチパネル２００は複数の駆動ラインＴＸ１、ＴＸ２、ＴＸ３、ＴＸ４、ＴＸ５、ＴＸ６、ＴＸ７、ＴＸ８のうち任意の一部駆動ライン及び複数の感知ラインＲＸ１、ＲＸ２、ＲＸ３、ＲＸ４、ＲＸ５、ＲＸ６、ＲＸ７、ＲＸ８、ＲＸ９、ＲＸ１０のうち任意の一部感知ラインを活性化して前記レアスキャンを遂行できる。
【００５９】
図３を参照すれば、前記レアスキャンによってタッチＡの概略的位置（例えば、（Ｘ３，Ｙ７））が検出されれば、タッチパネル２００は、タッチＡの概略的位置（例えば、（Ｘ３，Ｙ７））周辺の駆動ラインＴＸ２、ＴＸ３、ＴＸ４、及び、感知ラインＲＸ６、ＲＸ７、ＲＸ８を活性化してローカルスキャンを遂行できる。例えば、図３及び図５に示したように、タッチＡが概略的水平位置「Ｘ３」で感知された場合、タッチパネル２００は概略的水平位置「Ｘ３」に相応する駆動ラインＴＸ３、及び、これに隣接した少なくとも１つの駆動ラインＴＸ２、ＴＸ４に駆動パルスＴＸＰを次々と印加することができる。また、タッチパネル２００は概略的垂直位置「Ｙ７」に相応する感知ラインＲＸ７及びこれに隣接した少なくとも１つの感知ラインＲＸ６、ＲＸ８からの出力を受信してタッチＡの概略的位置「（Ｘ３，Ｙ７）」周辺の駆動ラインＴＸ２、ＴＸ３、ＴＸ４と、感知ラインＲＸ６、ＲＸ７、ＲＸ８との交点でのキャパシタンスを測定することができる。これに従って、タッチの精密な位置が検出されることができる。一方、前記ローカルスキャンの間活性化する駆動ラインＴＸ２、ＴＸ３、ＴＸ４、及び、感知ラインＲＸ６、ＲＸ７、ＲＸ８の数は、タッチパネルの大きさ、解像度などにより多様にすることができる。
【００６０】
上述した通り、本発明の一実施形態に係るタッチパネル２００の駆動方法において、タッチパネル２００はレアスキャンを遂行して低解像度でタッチの概略的位置を検出し、前記概略的位置周辺に対してローカルスキャンを遂行して高解像度でタッチの精密な位置を検出することによって、スキャン時間が減少することができ、電力消耗が減少することができる。
【００６１】
図６及び図７は、図１の駆動方法を遂行するタッチパネルの他の例を示す図面である。
【００６２】
図６を参照すれば、タッチパネル３００は、複数の行及び複数の列を有するマトリックス形態に配置された複数のタッチセンサーセル３１０を含むことができる。各タッチセンサーセル３１０は、１つのタッチポイントに相応することができる。即ち、タッチパネル３００は複数の行及び複数の列を有するマトリックス形態に配置された複数のタッチポイントを有することができる。実施形態により、複数のタッチセンサーセル３１０は、抵抗膜方式、静電容量方式、電磁界方式、赤外線方式、表面弾性波（Ｓｕｒｆａｃｅ  Ａｃｏｕｓｔｉｃ  Ｗａｖｅ；ＳＡＷ）方式、近接場イメージング（Ｎｅａｒ  Ｆｉｅｌｄ  Ｉｍａｇｉｎｇ；ＮＦＩ）方式などで使用者のタッチＡを感知することができる。例えば、各タッチセンサーセル３１０が光を放出し、使用者の指などによって反射した光を受信することによって、使用者のタッチＡを感知することができる。
【００６３】
タッチパネル３００の感知動作が始まれば、タッチパネル３００は、複数のタッチセンサーセル３１０のうち、一部のタッチセンサーセルを活性化して使用者からのタッチの概略的位置を検出するレアスキャンを遂行できる。例えば、図６に示したように、一部の行と一部の列との交点（例えば、（Ｘ１，Ｙ１）、（Ｘ１，Ｙ３）、（Ｘ１，Ｙ５）、（Ｘ１，Ｙ７）、（Ｘ１，Ｙ９）、（Ｘ３，Ｙ１）、（Ｘ３，Ｙ３）、（Ｘ３，Ｙ５）、（Ｘ３，Ｙ７）、（Ｘ３，Ｙ９）、（Ｘ５，Ｙ１）、（Ｘ５，Ｙ３）、（Ｘ５，Ｙ５）、（Ｘ５，Ｙ７）、（Ｘ５，Ｙ９）、（Ｘ，Ｙ１）、（Ｘ７，Ｙ３）、（Ｘ７，Ｙ５）、（Ｘ７，Ｙ７）、（Ｘ７，Ｙ９））に位置したタッチセンサーセルを順次に、または、同時に活性化することによってレアスキャンを遂行できる。これに従って、前記一部の行と前記一部の列との交点に位置したタッチポイントで使用者のタッチＡを感知することができる。
【００６４】
図７を参照すれば、前記レアスキャンによってタッチＡの概略的位置（例えば、（Ｘ３，Ｙ７））が検出されれば、タッチパネル３００は、タッチＡの前記概略的位置周辺のタッチセンサーセルを活性化してローカルスキャンを遂行できる。例えば、タッチパネル３００は、タッチＡの概略的位置（例えば、（Ｘ３，Ｙ７））に相応するタッチセンサーセル及びこれに隣接したタッチセンサーセル（例えば、座標（Ｘ２，Ｙ６）、（Ｘ３，Ｙ６）、（Ｘ４，Ｙ６）、（Ｘ２，Ｙ７）、（Ｘ４，Ｙ７）、（Ｘ２，Ｙ８）、（Ｘ３，Ｙ８）及び（Ｘ４，Ｙ８）に位置したタッチセンサーセル）を活性化して前記ローカルスキャンを遂行できる。一方、前記ローカルスキャンの間に活性化されるタッチセンサーセルの数は、タッチパネルの大きさ、解像度などによって多様にすることができる。
【００６５】
上述した通り、本発明の一実施形態に係るタッチパネル３００の駆動方法において、タッチパネル３００は、レアスキャンを遂行して低解像度でタッチの概略的位置を検出し、前記概略的位置周辺に対してローカルスキャンを遂行して高解像度でタッチの精密な位置を検出することによって、スキャン時間が減少することができ、電力消耗が減少することができる。
【００６６】
一方、図６及び図７には複数の行及び複数の列を有するマトリックス形態に配置された複数のタッチセンサーセル３１０を含むタッチパネル３００が前記レアスキャン及び前記ローカルスキャンを順次に遂行する例が図示されているが、実施形態により、タッチパネル３００は前記レアスキャンを遂行した後レア及びローカルスキャンを遂行できる。この場合、タッチパネル３００はマルチ−タッチを容易に感知することができる。
【００６７】
図８、図９及び図１０は、図１の駆動方法を遂行して使用者のドラッグ動作を感知するタッチパネルの一例を示す図面である。
【００６８】
図８を参照すれば、タッチパネル２００は、レアスキャン及び第１ローカルスキャンを遂行して使用者からのタッチＡの精密な位置（例えば、（Ｘ３，Ｙ３））を検出することができる。例えば、タッチパネル２００は、前記レアスキャンを通じて検出されたタッチＡの概略的位置周辺の駆動ライン（例えば、ＴＸ２、ＴＸ３、ＴＸ４）及び感知ライン（例えば、ＲＸ２、ＲＸ３、ＲＸ４）を活性化して前記第１ローカルスキャンを遂行することによってタッチＡの精密な位置（例えば、（Ｘ３，Ｙ３））を検出することができる。前記使用者がドラッグ動作を遂行する場合、タッチＡの位置が、例えば、座標「（Ｘ３，Ｙ３）」から座標「（Ｘ４，Ｙ４）」に、変更されることができる。
【００６９】
図９を参照すれば、タッチパネル２００は、第２ローカルスキャンを遂行して変更された位置を有するタッチＡ’の精密な位置（例えば、（Ｘ４，Ｙ４））を検出することができる。例えば、タッチＡの位置が座標「（Ｘ３，Ｙ３）」から座標「（Ｘ４，Ｙ４）」に変更されれば、前記第１ローカルスキャンによって座標「（Ｘ４，Ｙ４）」を有するタッチＡ’が検出されることができ、タッチパネル２００は前記第１ローカルスキャンを通じて検出されたタッチＡ’の位置周辺の駆動ライン（例えば、ＴＸ３、ＴＸ４、ＴＸ５）及び感知ライン（例えば、ＲＸ３、ＲＸ４、ＲＸ５）を活性化して前記第２ローカルスキャンを遂行することによってタッチＡ’の精密な位置（例えば、（Ｘ４，Ｙ４））を検出することができる。また、前記使用者の前記ドラッグ動作によってタッチＡ’の位置が、例えば座標「（Ｘ４，Ｙ４）」から座標「（Ｘ５，Ｙ５）」に、変更されることができる。
【００７０】
図１０を参照すれば、タッチパネル２００は、第３ローカルスキャンを遂行して変更された位置を有するタッチＡ”の精密な位置（例えば、（Ｘ５，Ｙ５））を検出することができる。例えば、タッチＡ’の位置が座標「（Ｘ４，Ｙ４）」から座標「（Ｘ５，Ｙ５）」に変更されれば、前記第２ローカルスキャンによって座標「（Ｘ５，Ｙ５）」を有するタッチＡ”が検出されることができ、タッチパネル２００は、前記第２ローカルスキャンを通じて検出されたタッチＡ”の位置周辺の駆動ライン（例えば、ＴＸ４、ＴＸ５、ＴＸ６）及び感知ライン（例えば、ＲＸ４、ＲＸ５、ＲＸ６）を活性化して前記第３ローカルスキャンを遂行することによってタッチＡ”の精密な位置（例えば、（Ｘ５，Ｙ５））を検出することができる。
【００７１】
このように、本発明の一実施形態に係るタッチパネル２００の駆動方法において、ローカルスキャンによって検出されたタッチの精密な位置周辺の駆動ライン及び感知ラインを活性化して前記タッチの変更された精密な位置を検出する後続ローカルスキャンが反復的に遂行されることができる。これに従って、前記ローカルスキャン及び前記後続ローカルスキャンを通じて前記使用者のドラッグ動作が感知されることができる。
【００７２】
図１１、図１２及び図１３は、図１の駆動方法を遂行して離隔されたタッチを感知するタッチパネルの一例を示す図面である。
【００７３】
図１１を参照すれば、タッチパネル２００は、第１レアスキャン及び第１ローカルスキャンを遂行して使用者からの第１タッチＡの精密な位置（例えば、（Ｘ３，Ｙ３））を検出することができる。例えば、タッチパネル２００は、前記第１レアスキャンを通じて検出された第１タッチＡの概略的位置周辺の駆動ライン（例えば、ＴＸ２、ＴＸ３、ＴＸ４）及び感知ライン（例えば、ＲＸ２、ＲＸ３、ＲＸ４）を活性化して前記第１ローカルスキャンを遂行することによって第１タッチＡの精密な位置（例えば、（Ｘ３，Ｙ３））を検出することができる。前記使用者によって第１タッチＡが発生した後第１タッチＡから離隔された第２タッチＢが発生した場合、前記第１ローカルスキャンによってタッチが感知されないで、タッチパネル２００は第２レアスキャンを遂行できる。
【００７４】
図１２を参照すれば、タッチパネル２００は、前記第２レアスキャンを遂行して前記使用者からの第２タッチＢの概略的位置（例えば、（Ｘ７，Ｙ７））を検出することができる。例えば、第１タッチＡが消えると、前記第１ローカルスキャンによってタッチが感知されないで、タッチパネル２００は、奇数番目駆動ラインＴＸ１、ＴＸ３、ＴＸ５、ＴＸ７、及び、奇数番目感知ラインＲＸ１、ＲＸ３、ＲＸ５、ＲＸ７、ＲＸ９を活性化して前記第２レアスキャンを遂行できる。前記第２レアスキャンによって第２タッチＢの概略的位置が検出されることができる。第２タッチＢの前記概略的位置が検出されると、タッチパネル２００は第２タッチＢの前記概略的位置周辺の駆動ライン及び感知ラインを活性化して第２ローカルスキャンを遂行できる。
【００７５】
図１３を参照すれば、タッチパネル２００は、前記第２ローカルスキャンを遂行して前記使用者からの第２タッチＢの精密な位置（例えば、（Ｘ７，Ｙ７））を検出することができる。例えば、タッチパネル２００は前記第２レアスキャンを通じて検出された第２タッチＢの概略的位置周辺の駆動ライン（例えば、ＴＸ６、ＴＸ７、ＴＸ８）及び感知ライン（例えば、ＲＸ６、ＲＸ７、ＲＸ８）を活性化して前記第２ローカルスキャンを遂行することによって第２タッチＢの精密な位置（例えば、（Ｘ７，Ｙ７））を検出することができる。
【００７６】
第１タッチＡが消えれば、前記第１ローカルスキャンによってタッチが感知されないで、タッチパネル２００は奇数番目駆動ラインＴＸ１、ＴＸ３、ＴＸ５、ＴＸ７、及び、奇数番目感知ラインＲＸ１、ＲＸ３、ＲＸ５、ＲＸ７、ＲＸ９を活性化して前記第２レアスキャンを遂行できる。前記第２レアスキャンによって第２タッチＢの概略的位置が検出されることができる。第２タッチＢの前記概略的位置が検出されると、タッチパネル２００は第２タッチＢの前記概略的位置周辺の駆動ライン及び感知ラインを活性化して第２ローカルスキャンを遂行できる。
【００７７】
このように、本発明の一実施形態に係るタッチパネル２００の駆動方法において、前記第１レアスキャン及び前記第１ローカルスキャンを通じて第１タッチＡが感知され、後続された前記第２レアスキャン及び前記第２ローカルスキャンを通じて第１タッチＡから離隔された第２タッチＢが感知されることができる。これに従って、前記レアスキャン及び前記ローカルスキャンが繰り返されることによって、前記使用者の複数のシングルタッチが連続的に検出されることができる。
【００７８】
図１４は本発明の他の実施形態に係るタッチパネルの駆動方法を示すフローチャートである。
【００７９】
図１４を参照すれば、タッチパネルは複数の駆動ラインのうち一部の駆動ラインを活性化し、複数の感知ラインのうち一部の感知ラインを活性化して使用者からの第１タッチの概略的位置を検出するレアスキャンを遂行できる（Ｓ４１０）。前記レアスキャンの間に活性化する前記一部の駆動ライン及び前記一部の感知ラインは任意の駆動ライン及び任意の感知ラインであることができる。一実施形態において、前記タッチパネルは奇数番目（または、偶数番目）駆動ライン及び奇数番目（または、偶数番目）感知ラインを活性化して前記レアスキャンを遂行できる。
【００８０】
前記レアスキャンによって前記第１タッチが感知されなかった場合（Ｓ４２０：ＮＯ）、再び前記レアスキャンが遂行されることができる（Ｓ４１０）。前記レアスキャンによって前記第１タッチが感知された場合（Ｓ４２０：ＹＥＳ）、前記タッチパネルは、前記第１タッチの前記概略的位置を検出することができる（Ｓ４３０）。
【００８１】
前記第１タッチの前記概略的位置が検出されると、前記タッチパネルは前記一部の駆動ライン及び前記一部の感知ラインを活性化し、前記第１タッチの前記概略的位置周辺の駆動ライン及び感知ラインを活性化して、新しく発生した第２タッチの概略的位置及び前記第１タッチの精密な位置を検出するレア及びローカルスキャン（Ｒａｒｅ＆Ｌｏｃａｌ  Ｓｃａｎ）を遂行できる（Ｓ４４０）。一実施形態において、前記タッチパネルは、奇数番目（または、偶数番目）駆動ライン及び奇数番目（または、偶数番目）感知ラインを活性化すると同時に、前記第１タッチの前記概略的位置に相応する第１駆動ライン及び前記第１駆動ラインに隣接した少なくとも１つの第２駆動ラインを活性化し、前記第１タッチの前記概略的位置に相応する第１感知ライン及び前記第１感知ラインに隣接した少なくとも１つの第２感知ラインを活性化して前記レア及びローカルスキャンを遂行できる。例えば、前記第１タッチの前記概略的位置が「（Ｘａ，Ｙａ）」の場合、前記タッチパネルは前記奇数番目駆動ライン（即ち、水平的位置Ｘ１、Ｘ３、…に相応する駆動ライン）及びＸａ−Ａ番目〜Ｘａ＋Ａ番目駆動ライン（Ａは、１以上の自然数）を活性化でき、前記奇数番目感知ライン（即ち、垂直的位置Ｙ１、Ｙ３、…に相応する駆動ライン）及びＹａ−Ｂ番目〜Ｙａ＋Ｂ番目感知ライン（Ｂは１以上の自然数）を活性化することができる。
【００８２】
前記レア及びローカルスキャンによって前記第１タッチ、及び／または、前記第２タッチが感知された場合（Ｓ４５０：ＹＥＳ）、前記タッチパネルは前記第１タッチの前記精密な位置及び前記第２タッチの前記概略的位置を検出することができる（Ｓ４６０）。即ち、前記タッチパネルは、前記レアスキャンによって前記第１タッチが感知されると、前記第１タッチに対するローカルスキャンを遂行すると同時に前記レアスキャンを遂行できる。これに従って、前記第１タッチの前記精密な位置が検出されると同時に新しく発生した前記第２タッチの概略的位置を検出することができる。
【００８３】
前記レア及びローカルスキャンによって前記第１タッチ、及び／または、前記第２タッチが感知されて（Ｓ４５０：ＹＥＳ）、前記タッチパネルの感知動作が継続的に遂行される場合（Ｓ４７０：ＮＯ）、前記タッチパネルは後続レア及びローカルスキャンを遂行できる（Ｓ４４０）。前記第１タッチ及び前記第２タッチが感知されると、前記タッチパネルは前記一部の駆動ライン及び前記一部の感知ラインを活性化し、前記第１タッチの前記精密な位置周辺の駆動ライン及び感知ラインを活性化し、前記第２タッチの前記概略的位置周辺の駆動ライン及び感知ラインを活性化することによって、前記第１タッチ及び前記第２タッチの精密な位置を検出すると同時に新しく発生した第３タッチの概略的位置を検出することができる。例えば、前記第１タッチの前記精密な位置が、「（Ｘａ’，Ｙａ’）」であり、前記第２タッチの前記概略的位置が「（Ｘｂ，Ｙｂ）」の場合、前記タッチパネルは前記奇数番目駆動ライン、Ｘａ’−Ａ番目〜Ｘａ’＋Ａ番目駆動ライン、及び、Ｘｂ−Ａ番目〜Ｘｂ＋Ａ番目駆動ラインを活性化でき、前記奇数番目感知ライン、Ｙａ’−Ｂ番目〜Ｙａ’＋Ｂ番目感知ライン、及び、Ｙｂ−Ｂ番目〜Ｙｂ＋Ｂ番目感知ラインを活性化することができる。このように、前記タッチパネルは各タッチが発生した領域に対するローカルスキャンを遂行すると同時に前記レアスキャンを遂行することによって、使用者からのマルチタッチを感知することができる。
【００８４】
一方、前記レア及びローカルスキャンによってタッチが感知されていない場合（Ｓ４５０：ＮＯ）、前記タッチパネルは、再び前記レアスキャンを遂行できる（Ｓ４１０）。また、前記タッチパネルが前記感知動作を遂行する間、例えば、外部のホストが前記感知動作を中止することを要請する場合（Ｓ４７０：ＹＥＳ）、前記タッチパネルは前記感知動作を中止することができる。
【００８５】
上述したように、本発明の他の実施形態に係るタッチパネルの駆動方法において、タッチパネルはレアスキャンを遂行して低解像度でタッチの概略的位置を検出することができる。前記レアスキャンによって前記タッチの概略的位置が検出されると、前記タッチパネルは、前記レアスキャン及び前記概略的位置周辺に対するローカルスキャンを含む前記レア及びローカルスキャンを遂行して高解像度で前記タッチの精密な位置を検出すると同時に、新しく発生したタッチを検出することができる。このように、スキャン時間及び電力消耗が減少することができ、使用者からのマルチ−タッチが感知されることができる。
【００８６】
図１５、図１６及び図１７は、図１４の駆動方法を遂行してマルチ−タッチを感知するタッチパネルの一例を示す図面である。
【００８７】
図１５を参照すれば、タッチパネル２００は、レアスキャン及び第１レア及びローカルスキャンを遂行して使用者からの第１タッチＡの精密な位置（例えば、（Ｘ２、Ｙ２））及び第２タッチＢの概略的位置を検出することができる。例えば、前記レアスキャンを通じて第１タッチＡの概略的位置が検出されると、タッチパネル２００は、奇数番目駆動ラインＴＸ１、ＴＸ３、ＴＸ５、ＴＸ７、及び、第１タッチＡの前記概略的位置周辺の駆動ラインＴＸ１、ＴＸ２、ＴＸ３を活性化し、奇数番目感知ラインＲＸ１、ＲＸ３、ＲＸ５、ＲＸ７、ＲＸ９、及び、第１タッチＡの前記概略的位置周辺の感知ラインＲＸ１、ＲＸ２、ＲＸ３を活性化し、前記第１レア及びローカルスキャンを遂行することによって第１タッチＡの精密な位置及び第２タッチＢの概略的位置を検出することができる。
【００８８】
図１６を参照すれば、タッチパネル２００は、第２レア及びローカルスキャンを遂行して第１タッチＡの精密な位置、第２タッチＢの精密な位置（例えば、（Ｘ６，Ｙ６））及び第３タッチＣの概略的位置を検出することができる。例えば、タッチパネル２００は、奇数番目駆動ラインＴＸ１、ＴＸ３、ＴＸ５、ＴＸ７、第１タッチＡの前記精密な位置周辺の駆動ラインＴＸ１、ＴＸ２、ＴＸ３、及び、第２タッチＢの前記概略的位置周辺の駆動ラインＴＸ５、ＴＸ６、ＴＸ７を活性化し、奇数番目感知ラインＲＸ１、ＲＸ３、ＲＸ５、ＲＸ７、ＲＸ９、第１タッチＡの前記精密な位置周辺の感知ラインＲＸ１、ＲＸ２、ＲＸ３、及び、第２タッチＢの前記概略的位置周辺の感知ラインＲＸ５、ＲＸ６、ＲＸ７を活性化して、前記第２レア及びローカルスキャンを遂行することによって第１タッチＡの精密な位置、第２タッチＢの精密な位置、及び、第３タッチＣの概略的位置を検出することができる。
【００８９】
図１７を参照すれば、タッチパネル２００は、第３レア及びローカルスキャンを遂行して第１タッチＡの精密な位置、第２タッチＢの精密な位置、及び、第３タッチＣの精密な位置（例えば、（Ｘ７，Ｙ７））を検出することができる。例えば、タッチパネル２００は奇数番目駆動ラインＴＸ１、ＴＸ３、ＴＸ５、ＴＸ７、第１タッチＡの前記精密な位置周辺の駆動ラインＴＸ１、ＴＸ２、ＴＸ３、第２タッチＢの前記精密な位置周辺の駆動ラインＴＸ５、ＴＸ６、ＴＸ７、及び、第３タッチＣの前記概略的位置周辺の駆動ラインＴＸ６、ＴＸ７、ＴＸ８を活性化し、奇数番目感知ラインＲＸ１、ＲＸ３、ＲＸ５、ＲＸ７、ＲＸ９、第１タッチＡの前記精密な位置周辺の感知ラインＲＸ１、ＲＸ２、ＲＸ３、第２タッチＢの前記精密な位置周辺の感知ラインＲＸ５、ＲＸ６、ＲＸ７、及び、第３タッチＣの前記概略的位置周辺の感知ラインＲＸ６、ＲＸ７、ＲＸ８を活性化して前記第３レア及びローカルスキャンを遂行することによって第１タッチＡの精密な位置、第２タッチＢの精密な位置、及び、第３タッチＣの精密な位置を検出することができる。一方、第２タッチＢ及び第３タッチＣとともにタッチ周辺の駆動ライン、及び／または、感知ラインが重なる場合、各タッチフレームで重なった駆動ライン、及び／または、感知ラインは一度だけ活性化されることができる。
【００９０】
このように、本発明の他の実施形態に係るタッチパネル２００の駆動方法において、レアスキャンによってタッチの概略的位置が検出されると、タッチパネル２００は、前記レアスキャン及び前記概略的位置周辺に対するローカルスキャンを含む前記レア及びローカルスキャンを遂行して高解像度で前記タッチの精密な位置を検出すると同時に、新しく発生したタッチを検出することができる。これに従って、スキャン時間及び電力消耗が減少することができ、使用者からのマルチ−タッチが感知されることができる。
【００９１】
図１８は本発明の一実施形態に係るディスプレイ装置を示すブロック図である。
【００９２】
図１８を参照すれば、ディスプレイ装置５００は、ディスプレイパネル５１０、ディスプレイドライバ５３０、タッチパネル５５０、及びタッチコントローラ５７０を含む。
【００９３】
ディスプレイパネル５１０は、イメージを表示することができる。例えば、ディスプレイパネル５１０は、ＬＣＤ（Ｌｉqｕｉｄ  Ｃｒｙｓｔａｌ  Ｄｉｓｐｌａｙ）パネル、ＬＥＤ（Ｌｉｇｈｔ  Ｅｍｉｔｔｉｎｇ  Ｄｉｏｄｅ）パネル、ＯＬＥＤ（Ｏｒｇａｎｉｃ  ＬＥＤ）パネル、及び、ＦＥＤ（Ｆｉｅｌｄ  Ｅｍｉｓｓｉｏｎ  Ｄｉｓｐｌａｙ）パネルなどのように多様なディスプレイパネルのうちいずれか１つであることができる。
【００９４】
ディスプレイドライバ５３０は、ディスプレイパネル５１０を駆動することができる。ディスプレイドライバ５３０は、ディスプレイパネル５１０にディスプレイデータ信号ＤＤＳを印加することによってディスプレイパネル５１０がディスプレイデータ信号ＤＤＳに相応するイメージを表示するようにすることができる。例えば、ディスプレイドライバ５３０は、ディスプレイパネル５１０の各行を選択するスキャンドライバ、前記選択された行のピクセルにディスプレイデータ信号ＤＤＳを印加するソースドライバ、並びに、前記スキャンドライバ及び前記ソースドライバのタイミングを制御するタイミングコントローラを含むことができる。
【００９５】
タッチパネル５５０は、第１方向に延伸した複数の駆動ライン及び前記第１方向に直交する第２方向に延伸した複数の感知ラインを含むことができる。実施形態により、タッチパネル５５０は抵抗膜方式、静電容量方式、電磁界方式、赤外線方式、表面弾性波方式、近接場イメージング方式、または、これと類似する方式のタッチパネルでありうる。また、実施形態により、タッチパネル５５０は、ディスプレイパネル５１０上に付着するアドオン方式（Ａｄｄ−Ｏｎ  Ｔｙｐｅ）のタッチパネルであるか、または、ディスプレイパネル５１０内に形成される内蔵型方式（Ｅｍｂｅｄｄｅｄ  Ｔｙｐｅ）のタッチパネルであることができる。例えば、タッチパネル５５０は、タッチセンサーセルがディスプレイパネル５１０のピクセル上に形成される、オンセルタイプ（Ｏｎ−Ｃｅｌｌ  Ｔｙｐｅ）の内蔵型タッチパネル、或いは、前記タッチセンサーセルが前記ピクセル内に形成されるインセルタイプ（Ｉｎ−Ｃｅｌｌ  Ｔｙｐｅ）の内蔵型タッチパネルであることができる。
【００９６】
タッチコントローラ５７０は、タッチパネル５５０を駆動することができる。例えば、タッチコントローラ５７０は、タッチパネル５５０の前記複数の駆動ラインにタッチパルスＴＸＰを印加し、タッチパネル５５０の前記複数の感知ラインからの出力ＲＸＰを受信することによって、タッチパネル５５０を駆動することができる。図１８に示したように、ディスプレイドライバ５３０及びタッチコントローラ５７０は互いに違うチップで具現することができる。
【００９７】
一実施形態において、タッチコントローラ５５０は、レアスキャン及びローカルスキャンを遂行するようにタッチパネル５５０を駆動することができる。例えば、タッチコントローラ５５０は、前記複数の駆動ラインのうち一部の駆動ラインを活性化し、前記複数の感知ラインのうち一部の感知ラインを活性化して使用者からのタッチの概略的位置を検出する前記レアスキャンを遂行するようにタッチパネル５５０を制御することができる。前記レアスキャンによって前記タッチの前記概略的位置が検出されると、タッチコントローラ５５０は前記複数の駆動ラインのうちの前記タッチの前記概略的位置周辺の駆動ラインを活性化し、前記複数の感知ラインのうちの前記タッチの前記概略的位置周辺の感知ラインを活性化して前記タッチの精密な位置を検出するローカルスキャンを遂行するようにタッチパネル５５０を制御することができる。このように、タッチパネル５５０が前記レアスキャン及び前記ローカルスキャンを遂行することによって、スキャン時間が減少することができ、電力消耗が減少されることができる。
【００９８】
他の実施形態において、タッチコントローラ５５０は、レアスキャン、並びに、レア及びローカルスキャンを遂行するようにタッチパネル５５０を駆動することができる。例えば、タッチコントローラ５５０は、前記複数の駆動ラインのうち一部の駆動ラインを活性化し、前記複数の感知ラインのうち一部の感知ラインを活性化して使用者からの第１タッチの概略的位置を検出する前記レアスキャンを遂行するようにタッチパネル５５０を制御することができる。前記レアスキャンによって前記第１タッチの前記概略的位置が検出されると、タッチコントローラ５５０は、前記複数の駆動ラインのうちの前記一部の駆動ライン及び前記第１タッチの前記概略的位置周辺の駆動ラインを活性化し、前記複数の感知ラインのうちの前記一部の感知ライン及び前記第１タッチの前記概略的位置周辺の感知ラインを活性化して、第２タッチの概略的位置及び前記第１タッチの精密な位置を検出する、前記レア及びローカルスキャンを遂行するようにタッチパネル５５０を制御することができる。このように、タッチパネル５５０が前記レアスキャン及び前記レア及びローカルスキャンを遂行することによって、スキャン時間及び電力消耗が減少することができ、使用者からのマルチ−タッチが感知されることができる。
【００９９】
上述したように、本発明の実施形態に係るディスプレイ装置５００において、タッチパネル５５０が前記レアスキャン及び前記ローカルスキャン（または、前記レア及びローカルスキャン）を遂行することによって、スキャン時間及び電力消耗が減少することができる。
【０１００】
図１９は、図１８のディスプレイ装置に含まれたタッチコントローラを示すブロック図である。
【０１０１】
図１９を参照すれば、タッチコントローラ５７０は、送信ブロック５８０及び受信ブロック５９０を含む。
【０１０２】
送信ブロック５８０は、複数の駆動ラインＴＸ１、ＴＸ２、ＴＸＮ−１、ＴＸＮに駆動パルスＴＸＰを印加することができる。送信ブロック５８０は、パルス生成器５８１、第１スイッチング部５８３、及び駆動ライン選択器５８５を含むことができる。パルス生成器５８１は、駆動パルスＴＸＰを生成することができる。第１スイッチング部５８３は、駆動ライン選択器５８５によって制御されて、パルス生成器５８１と複数の駆動ラインＴＸ１、ＴＸ２、ＴＸＮ−１、ＴＸＮのうちから選択された駆動ラインを接続することができる。例えば、レアスキャンが遂行される時、駆動ライン選択器５８５は奇数番目駆動ラインＴＸ１、ＴＸＮ−１に駆動パルスＴＸＰが順次に印加されるように、第１スイッチング部５８３を制御することができる。また、ローカルスキャンが遂行される時、駆動ライン選択器５８５は感知されたタッチの概略的位置周辺の駆動ラインに駆動パルスＴＸＰが順次に印加されるように第１スイッチング部５８３を制御することができる。実施形態により、送信ブロック５８０は、駆動パルスＴＸＰが適切なレベルを有するように駆動パルスＴＸＰを増幅する送信バッファ５８７をさらに含むことができる。一実施形態において、駆動ライン選択器５８５は、駆動パルスＴＸＰが印加される駆動ラインと接続された送信バッファ５８７にだけ電源電圧を印加することによって、電力消耗をより一層減少させることができる。
【０１０３】
受信ブロック５９０は、複数の感知ラインＲＸ１、ＲＸ２、ＲＸＭ−１、ＲＸＭからの出力ＲＸＰを受信することができる。受信ブロック５９０は、第２スイッチング部５９５、感知ライン選択器５９１、及びタッチデータ生成器５９７を含むことができる。第２スイッチング部５９５は、感知ライン選択器５９１によって制御されて、複数の感知ラインＲＸ１、ＲＸ２、ＲＸＭ−１、ＲＸＭのうちから選択された感知ラインをタッチデータ生成器５９７に接続することができる。例えば、前記レアスキャンが遂行される時、感知ライン選択器５９１は、奇数番目感知ラインＲＸ１、ＲＸＮ−１からの出力ＲＸＰがタッチデータ生成器５９７に順次に印加されるように第２スイッチング部５９５を制御することができる。また、前記ローカルスキャンが遂行される時、感知ライン選択器５９１は、感知されたタッチの概略的位置周辺の感知ラインからの出力ＲＸＯがタッチデータ生成器５９７に順次に印加されるように第２スイッチング部５９５を制御することができる。タッチデータ生成器５９７は、複数の感知ラインＲＸ１、ＲＸ２、ＲＸＭ−１、ＲＸＭからの出力ＲＸＰに基づいてタッチデータＴＤを生成することができる。タッチデータ生成器５９７は、外部のホスト（例えば、アプリケーションプロセッサ）にタッチデータＴＤを提供することができる。実施形態により、受信ブロック５９０は、感知ラインからの出力ＲＸＰが適切なレベルを有するように出力ＲＸＰを増幅する受信バッファ５９３をさらに含むことができる。一実施形態において、感知ライン選択器（５９１）は選択された感知ラインと接続された受信バッファ５９３にだけ電源電圧を印加することによって、電力消耗をより一層減少させることができる。
【０１０４】
図２０は本発明の他の実施形態に係るディスプレイ装置を示すブロック図である。
【０１０５】
図２０を参照すれば、ディスプレイ装置６００は、ディスプレイパネル６１０、ディスプレイドライバ６３０、タッチパネル６５０、及びタッチコントローラ６７０を含む。図２０のディスプレイ装置６００は、送信ブロック６８０の位置を除けば、図１８のディスプレイ装置５００と実質的に類似する構造を有する。
【０１０６】
タッチパネル６５０の複数の駆動ラインに駆動パルスＴＸＰを印加する送信ブロック６８０は、ディスプレイドライバ６３０が具現されたチップに位置でき、複数の感知ラインからの出力ＲＸＰを受信する受信ブロックは、タッチコントローラ６７０が具現されたチップに位置することができる。
【０１０７】
図２１は本発明のまた他の実施形態に係るディスプレイ装置を示すブロック図である。
【０１０８】
図２１を参照すれば、ディスプレイ装置７００は、ディスプレイパネル７１０、タッチパネル７５０、ディスプレイドライバ、及びタッチコントローラを含む。図２１のディスプレイ装置７００は、ディスプレイドライバ及びタッチコントローラが１つのチップ７３０で具現されたことを除けば、図１８のディスプレイ装置５００と実質的に類似する構造を有する。
【０１０９】
ディスプレイパネル７１０を駆動する前記ディスプレイドライバ及びタッチパネル７５０を駆動する前記タッチコントローラが１つのチップ７３０で具現することができる。即ち、前記ディスプレイドライバが具現されたチップ７３０内に複数の駆動ラインに駆動パルスＴＸＰを印加する送信ブロック７８０及び複数の感知ラインからの出力ＲＸＰを受信する受信ブロックが位置することができる。
【０１１０】
図２２は本発明のまた他の実施形態に係るディスプレイ装置を示すブロック図である。
【０１１１】
図２２を参照すれば、ディスプレイ装置８００は、ディスプレイパネル８１０、ディスプレイドライバ、タッチパネル８５０、及び、タッチコントローラ８７１、８７３、８７５、８７７を含む。
【０１１２】
タッチパネル８５０は、各々独立的に駆動する複数のセンシングブロック８５１、８５３、８５５、８５７を含むことができる。ディスプレイ装置８００が大型化されることによって、タッチパネル８５０に含まれる駆動ラインの数及び感知ラインの数が増加することができる。駆動ラインの数及び感知ラインの数が増加すると、タッチパネル８５０のスキャン時間が増加して望む時間内にタッチパネル８５０の感知動作が完了できないことが生じる。しかし、本発明の実施形態に係るディスプレイ装置８００は、タッチパネル８５０を複数のセンシングブロック８５１、８５３、８５５、８５７に区分することによって、前記スキャン時間を減少させることができる。
【０１１３】
一実施形態において、複数のセンシングブロック８５１、８５３、８５５、８５７は、各々相応するタッチコントローラ８７１、８７３、８７５、８７７により独立的に駆動することができる。例えば、第１センシングブロック８５１は、第１タッチコントローラ８７１によって制御され、第２センシングブロック８５３は、第２タッチコントローラ８７３によって制御され、第３センシングブロック８５５は第３タッチコントローラ８７５によって制御され、第４センシングブロック８５７は第４タッチコントローラ８７７によって制御されることができる。複数のセンシングブロック８５１、８５３、８５５、８５７が各々独立的に駆動するので、タッチパネル８５０のスキャン時間は、各センシングブロック８５１、８５３、８５５、８５７のスキャン時間に相応することができる。一方、図２２には複数のタッチコントローラ８７１、８７３、８７５、８７７が複数のセンシングブロック８５１、８５３、８５５、８５７を各々制御する例が図示されているが、実施形態により、１つのタッチコントローラが複数のセンシングブロック８５１、８５３、８５５、８５７が各々独立的に駆動するように複数のセンシングブロック８５１、８５３、８５５、８５７を制御することができる。
【０１１４】
一実施形態において、タッチコントローラ８７１、８７３、８７５、８７７は、各タッチフレームで複数のセンシングブロック８５１、８５３、８５５、８５７のうち、一部が使用者からのタッチの概略的位置を検出するレアスキャンを遂行するようにタッチパネル８５０を制御することができる。例えば、タッチコントローラ８７１、８７３、８７５、８７７は、各タッチフレームごとに複数のセンシングブロック８５１、８５３、８５５、８５７のうちのいずれか１つのセンシングブロックが前記レアスキャンを遂行するように複数のセンシングブロック８５１、８５３、８５５、８５７を順次に活性化することができる。即ち、第１タッチフレームで第１タッチコントローラ８７１が第１センシングブロック８５１を活性化し、第２タッチフレームで第２タッチコントローラ８７３が第２センシングブロック８５３を活性化し、第３タッチフレームで第３タッチコントローラ８７５が第３センシングブロック８５５を活性化し、第４タッチフレームで第４タッチコントローラ８７７が第４センシングブロック８５７を活性化することができる。前記レアスキャンによって前記タッチの前記概略的位置が検出されると、タッチコントローラ８７１、８７３、８７５、８７７は、複数のセンシングブロック８５１、８５３、８５５、８５７のうち前記タッチを感知したセンシングブロックが前記タッチの精密な位置を検出するローカルスキャンを遂行するようにタッチパネル８５０を制御することができる。例えば、第１センシングブロック８５１が前記第１タッチフレームで前記レアスキャンを通じて前記タッチを感知した場合、第１タッチコントローラ８７１は、前記第２タッチフレームで第１センシングブロック８５１が前記ローカルスキャンを遂行するように第１センシングブロック８５１を制御することができる。
【０１１５】
他の実施形態において、前記レアスキャンによって前記タッチの前記概略的位置が検出されると、タッチコントローラ８７１、８７３、８７５、８７７は、複数のセンシングブロック８５１、８５３、８５５、８５７のうち、前記タッチを感知したセンシングブロックが前記ローカルスキャンを遂行と同時に次のセンシングブロックが前記レアスキャンを遂行するようにタッチパネル８５０を制御することができる。例えば、第１センシングブロック８５１が前記第１タッチフレームで前記レアスキャンを通じて前記タッチを感知した場合、第１タッチコントローラ８７１は前記第２タッチフレームで第１センシングブロック８５１が前記ローカルスキャンを遂行するように第１センシングブロック８５１を制御し、第２タッチコントローラ８７３は前記第２タッチフレームで第２センシングブロック８５３が前記レアスキャンを遂行するように第２センシングブロック８５３を制御することができる。
【０１１６】
上述したように、一定時点で複数のセンシングブロック８５１、８５３、８５５、８５７のうち、一部が前記レアスキャン、及び／または、前記ローカルスキャンを遂行することによって、スキャン時間が減少することができ、電力消耗が減少することができる。
【０１１７】
図２３は図２２のディスプレイ装置に含まれたタッチパネルの駆動タイミングを示す図面である。
【０１１８】
図２２及び図２３を参照すれば、タッチパネル８５０は、ディスプレイパネル８１０の垂直動機信号ＶＳＹＮＣに同期されて駆動でき、タッチパネル８５０のタッチフレーム周期はディスプレイパネル８１０のディスプレイフレーム周期に相応することができる。
【０１１９】
各タッチフレームで複数のセンシングブロック８５１、８５３、８５５、８５７のうち、一部がレアスキャンを遂行できる。例えば、第１タッチフレームで第１センシングブロック８５１が前記レアスキャンを遂行し、第２タッチフレームで第２センシングブロック８５３が前記レアスキャンを遂行し、第３タッチフレームで第３センシングブロック８５５が前記レアスキャンを遂行できる。前記第３タッチフレームで第３センシングブロック８５５がタッチを感知すれば、第４タッチフレームで第３センシングブロック８５５はローカルスキャンを遂行できる。また、実施形態により、前記第４タッチフレームで第４センシングブロック８５７は前記レアスキャンを遂行できる。
【０１２０】
図２４は本発明のまた他の実施形態に係るタッチパネルの駆動方法を示すフローチャートである。
【０１２１】
図２４を参照すれば、タッチコントローラは外部のホスト（例えば、アプリケーションプロセッサ）から使用者の入力を受信する領域に対する情報を受信することができる（Ｓ９１０）。例えば、前記使用者からの前記入力を受信する領域はボタン、スクロールバー、メニュー、アイコン、キャラクターなどのユーザインタフェース（Ｕｓｅｒ  Ｉｎｔｅｒｆａｃｅ）が表示される領域でありうる。一実施形態において、前記情報は、前記ユーザインタフェースの位置を示す情報を含むことができる。他の実施形態において、前記情報は前記入力を受信する領域に相応する前記駆動ラインを示す駆動ライン情報及び前記入力を受信する領域に相応する前記感知ラインを示す感知ライン情報を含むことができる。
【０１２２】
前記タッチコントローラは、前記入力を受信する領域に対する情報に基づいて使用者からのタッチの位置を検出するローカルスキャンを遂行するようにタッチパネルを制御することができる（Ｓ９３０）。例えば、前記タッチコントローラは、複数の駆動ラインのうちの前記入力を受信する領域に相応する駆動ラインを活性化し、前記複数の感知ラインのうちの前記入力を受信する領域に相応する感知ラインを活性化するように前記タッチパネルを制御することができる。
【０１２３】
上述したように、本発明のまた他の実施形態に係るタッチパネルの駆動方法において、タッチパネルが前記ユーザインタフェースが表示される領域に対するローカルスキャンを遂行することによって、スキャン時間が減少し、電力消耗が減少することができる。
【０１２４】
図２５及び図２６は、図２４の駆動方法を遂行するディスプレイパネル及びタッチパネルの一例を示す図面である。
【０１２５】
図２５を参照すれば、ディスプレイパネル１０００は、第１ボタン１０１０、第２ボタン１０３０、及びスクロールバー１０５０を表示することができる。第１ボタン１０１０、第２ボタン１０３０、及びスクロールバー１０５０は、使用者からテプ（Ｔａｂ）、クリック（Ｃｌｉｃｋ）、ドラッグ（Ｄｒａｇ）等の入力を受信するためのユーザインタフェースでありうる。
【０１２６】
図２６を参照すれば、タッチパネル２００は第１ボタン１０１０、第２ボタン１０３０、及びスクロールバー１０５０のような前記ユーザインタフェース領域に対するローカルスキャンを遂行できる。例えば、タッチパネル２００は、第１ボタン１０１０が表示される領域に相応する駆動ラインＴＸ２、ＴＸ３、第２ボタン１０３０が表示される領域に相応する駆動ラインＴＸ６、ＴＸ７、及びスクロールバー１０５０が表示される領域に相応する駆動ラインＴＸ７を活性化し、第１ボタン１０１０が表示される領域に相応する感知ラインＲＸ８、ＲＸ９、第２ボタン１０３０が表示される領域に相応する感知ラインＲＸ８、ＲＸ９、及びスクロールバー１０５０が表示される領域に相応する感知ラインＲＸ２、ＲＸ３、ＲＸ４、ＲＸ５、ＲＸ６を活性化して前記ローカルスキャンを遂行できる。
【０１２７】
このように、本発明のまた他の実施形態に係るタッチパネル２００の駆動方法において、タッチパネル２００がユーザインタフェース１０１０、１０３０、１０５０が表示される領域に対するローカルスキャンを遂行することによって、スキャン時間が減少して、電力消耗が減少することができる。
【０１２８】
図２７は図２４の駆動方法を遂行するホスト及びディスプレイ装置を示すブロック図である。
【０１２９】
図２７を参照すれば、ホスト１１１０に含まれたディスプレイコントローラ１１１５は、ディスプレイ装置１１５０に含まれたディスプレイドライバ１１６０にディスプレイデータを提供し、ディスプレイ装置１１５０に含まれたタッチコントローラ１１７０に使用者からの入力を受信する領域に対する情報を提供することができる。例えば、ホスト１１１０は、モバイルＳｏＣ（Ｓｙｓｔｅｍ−ｏｎ−Ｃｈｉｐ）、アプリケーションプロセッサ（Ａｐｐｌｉｃａｔｉｏｎ  Ｐｒｏｃｅｓｓｏｒ）、メディアプロセッサ（Ｍｅｄｉａ  Ｐｒｏｃｅｓｓｏｒ）、マイクロプロセッサ、中央処理装置（Ｃｅｎｔｒａｌ  Ｐｒｏｃｅｓｓｉｎｇ  Ｕｎｉｔ；ＣＰＵ）、または、これと類似する装置であることができる。
【０１３０】
タッチコントローラ１１７０は、前記使用者からの入力を受信する領域に相応する駆動ライン及び感知ラインを活性化してローカルスキャンを遂行するようにタッチパネルを制御することができる。これと共に、ディスプレイ装置１１５０が前記使用者からの入力を受信する領域に対する前記ローカルスキャンを遂行することによって、スキャン時間が減少して、電力消耗が減少することができる。
【０１３１】
図２８はホストからディスプレイ装置に提供されるコマンドの一例を示す図面である。
【０１３２】
図２８を参照すれば、使用者からの入力を受信する領域に対する情報がホストからディスプレイ装置にコマンド１２００の形式で提供されることができる。コマンド１２００は、コマンドタイプフィールド１２１０、駆動ライン情報フィールド１２３０及び感知ライン情報フィールド１２５０を含むことができる。
【０１３３】
コマンドタイプフィールド１２１０には前記使用者からの入力を受信する領域に対する情報を含むコマンドであることを示す所定の値が記入され、駆動ライン情報フィールド１２３０には前記使用者からの入力を受信する領域に相応する駆動ラインに対する情報が記入され、感知ライン情報フィールド１２５０には前記使用者からの入力を受信する領域に相応する感知ラインに対する情報が記入されることができる。一実施形態において、駆動ライン情報フィールド１２３０には前記使用者からの入力を受信する領域に相応する駆動ラインが「１」と表示された駆動ライン  ビットマップが記入されることができ、感知ライン情報フィールド１２５０には前記使用者からの入力を受信する領域に相応する感知ラインが「１」と表示された感知ラインビットマップが記入されることができる。
【０１３４】
図２９は本発明の実施形態に係るディスプレイ装置を含むコンピューティングシステムを示すブロック図である。
【０１３５】
図２９を参照すれば、コンピューティングシステム１３００は、プロセッサ１３１０及びディスプレイ装置１３４０を含む。実施形態により、コンピューティングシステム１３００は、メモリ装置１３２０、入出力装置１３３０、モデム１３５０、及び電源１３６０をさらに含むことができる。
【０１３６】
プロセッサ１３１０は特定計算らまたは、タスクらを実行することができる。例えば、プロセッサ１３１０は、モバイルＳｏＣ、アプリケーションプロセッサ、メディアプロセッサ、マイクロプロセッサ、中央処理装置、または、これと類似の装置であることができる。プロセッサ１３１０は、アドレスバス、制御バス、及び／または、データバスのようなバスを通じてメモリ装置１３２０に接続することができる。例えば、メモリ装置１３２０は、ＤＲＡＭ（Ｄｙｎａｍｉｃ  ｒａｎｄｏｍ  ａｃｃｅｓｓ  ｍｅｍｏｒｙ）、モバイルＤＲＡＭ、ＳＲＡＭ（Ｓｔａｔｉｃ  ｒａｎｄｏｍ  ａｃｃｅｓｓ  ｍｅｍｏｒｙ）、ＰＲＡＭ（Ｐｈａｓｅ  ｒａｎｄｏｍ  ａｃｃｅｓｓ  ｍｅｍｏｒｙ）、ＦＲＡＭ（登録商標：Ｆｅｒｒｏｅｌｅｃｔｒｉｃ  ｒａｎｄｏｍ  ａｃｃｅｓｓ  ｍｅｍｏｒｙ）、ＲＲＡＭ（登録商標：Ｒｅｓｉｓｔｉｖｅ  ｒａｎｄｏｍ  ａｃｃｅｓｓ  ｍｅｍｏｒｙ）、または、ＭＲＡＭ（Ｍａｇｎｅｔｉｃ  ｒａｎｄｏｍ  ａｃｃｅｓｓ  ｍｅｍｏｒｙ）で具現することができる。また、プロセッサ１３１０は、周辺構成要素相互接続（ｐｅｒｉｐｈｅｒａｌ  ｃｏｍｐｏｎｅｎｔ  ｉｎｔｅｒｃｏｎｎｅｃｔ；ＰＣＩ）バスのような拡張バスに接続することができる。これに従って、プロセッサ１３１０は、キーボードまたは、マウスのような１つ以上の入力装置、プリンタまたは、ディスプレイ装置１３４０のような１つ以上の出力装置を含む入出力装置１３３０を制御することができる。ディスプレイ装置１３４０は使用者からのタッチを感知するタッチパネルを含むことができる。前記タッチパネルはレアスキャン、ローカルスキャン、及び／または、レア及びローカルスキャンを遂行することによって、スキャン時間を減少させることができ、電力消耗を減少させることができる。
【０１３７】
また、プロセッサ１３１０は、前記拡張バスを通じてソリッドステートドライブ（ｓｏｌｉｄ  ｓｔａｔｅ  ｄｒｉｖｅ）、ハードディスクドライブ（ｈａｒｄ  ｄｉｓｋ  ｄｒｉｖｅ）、シディロム（ＣＤ−ＲＯＭ）のような保存装置を制御することができる。モデム１３５０は、外部装置と、有線または無線とでデータを送受信することができる。電源１３６０は、コンピューティングシステム１３００に動作電圧を供給することができる。また、コンピューティングシステム１３００は、実施形態によって応用チップセット（ａｐｐｌｉｃａｔｉｏｎ  ｃｈｉｐｓｅｔ）、カメライメージプロセッサ（ｃａｍｅｒａ  ｉｍａｇｅ  ｐｒｏｃｅｓｓｏｒ；ＣＩＳ）などをさらに含むことができる。
【０１３８】
実施形態により、コンピューティングシステム１３００は、デジタルＴＶ（Ｄｉｇｉｔａｌ  Ｔｅｌｅｖｉｓｉｏｎ）、３ＤＴＶ、パーソナルコンピュータ（Ｐｅｒｓｏｎａｌ  Ｃｏｍｐｕｔｅｒ；ＰＣ）、家庭用電子機器、ノートブックコンピュータ（Ｌａｐｔｏｐ  Ｃｏｍｐｕｔｅｒ）、タブレットコンピュータ（Ｔａｂｌｅ  Ｃｏｍｐｕｔｅｒ）、携帯電話（Ｍｏｂｉｌｅ  Ｐｈｏｎｅ）、スマートフォン（Ｓｍａｒｔ  Ｐｈｏｎｅ）、個人情報端末機（ｐｅｒｓｏｎａｌ  ｄｉｇｉｔａｌ  ａｓｓｉｓｔａｎｔ；ＰＤＡ）、携帯型マルチメディアプレーヤー（ｐｏｒｔａｂｌｅ  ｍｕｌｔｉｍｅｄｉａ  ｐｌａｙｅｒ；ＰＭＰ）、デジタルカメラ（Ｄｉｇｉｔａｌ  Ｃａｍｅｒａ）、音楽再生器（Ｍｕｓｉｃ  Ｐｌａｙｅｒ）、携帯用ゲームコンソール（ｐｏｒｔａｂｌｅ  ｇａｍｅ  ｃｏｎｓｏｌｅ）、ナビゲーション（Ｎａｖｉｇａｔｉｏｎ）などのようなディスプレイ装置１３４０を含む任意のコンピューティングシステムであることができる。
【０１３９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０１４０】
本発明はタッチパネルを含むディスプレイ装置及びコンピューティングシステムに適用されることができる。従って、本発明はデジタルＴＶ（Ｄｉｇｉｔａｌ  Ｔｅｌｅｖｉｓｉｏｎ）、３ＤＴＶ、パーソナルコンピュータ（Ｐｅｒｓｏｎａｌ  Ｃｏｍｐｕｔｅｒ；ＰＣ）、家庭用電子機器、ノートブックコンピュータ（Ｌａｐｔｏｐ  Ｃｏｍｐｕｔｅｒ）、タブレットコンピュータ（Ｔａｂｌｅ  Ｃｏｍｐｕｔｅｒ）、携帯電話（Ｍｏｂｉｌｅ  Ｐｈｏｎｅ）、スマートフォン（Ｓｍａｒｔ  Ｐｈｏｎｅ）、個人情報端末機（ｐｅｒｓｏｎａｌ  ｄｉｇｉｔａｌ  ａｓｓｉｓｔａｎｔ；ＰＤＡ）、携帯型マルチメディア  プレーヤー（ｐｏｒｔａｂｌｅ  ｍｕｌｔｉｍｅｄｉａ  ｐｌａｙｅｒ；ＰＭＰ）、デジタルカメラ（Ｄｉｇｉｔａｌ  Ｃａｍｅｒａ）、音楽再生器（Ｍｕｓｉｃ  Ｐｌａｙｅｒ）、携帯用ゲームコンソール（ｐｏｒｔａｂｌｅ  ｇａｍｅ  ｃｏｎｓｏｌｅ）、ナビゲーション（Ｎａｖｉｇａｔｉｏｎ）などのようなディスプレイ装置１３４０を含む任意のコンピューティングシステムに適用することができる。
【０１４１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１４２】
２００，５５０    タッチパネル
５１０    ディスプレイパネル
５３０    ディスプレイドライバ
５７０    タッチコントローラ
【図１】
2013168121.tif 000003
【図２】
2013168121.tif 000004
【図３】
2013168121.tif 000005
【図４】
2013168121.tif 000006
【図５】
2013168121.tif 000007
【図６】
2013168121.tif 000008
【図７】
2013168121.tif 000009
【図８】
2013168121.tif 000010
【図９】
2013168121.tif 000011
【図１０】
2013168121.tif 000012
【図１１】
2013168121.tif 000013
【図１２】
2013168121.tif 000014
【図１３】
2013168121.tif 000015
【図１４】
2013168121.tif 000016
【図１５】
2013168121.tif 000017
【図１６】
2013168121.tif 000018
【図１７】
2013168121.tif 000019
【図１８】
2013168121.tif 000020
【図１９】
2013168121.tif 000021
【図２０】
2013168121.tif 000022
【図２１】
2013168121.tif 000023
【図２２】
2013168121.tif 000024
【図２３】
2013168121.tif 000025
【図２４】
2013168121.tif 000026
【図２５】
2013168121.tif 000027
【図２６】
2013168121.tif 000028
【図２７】
2013168121.tif 000029
【図２８】
2013168121.tif 000030
【図２９】
2013168121.tif 000031